(57)【要約】【課題】眼科装置において、検査の長時間化や画質の低下などの従来の問題を伴うことなくスキャン範囲の拡大を図る。【解決手段】実施形態の眼科装置は、光源からの光を光スキャナで偏向して被検眼に照射する照射光学系を有する。光スキャナは、第１のミラースキャナと、光学系とを含む。第１のミラースキャナは、光反射面の向きが可変とされている。光学系は、光源からの光を第１のミラースキャナに複数回反射させる。照射光学系は、第１のミラースキャナにより複数回反射された光を被検眼に照射する。【選択図】図３
2014200403.tif 000002
【特許請求の範囲】
【請求項１】
光源からの光を光スキャナで偏向して被検眼に照射する照射光学系を有する眼科装置であって、
前記光スキャナは、
光反射面の向きが可変な第１のミラースキャナと、
前記光源からの光を前記第１のミラースキャナに複数回反射させる光学系と
を含み、
前記照射光学系は、前記第１のミラースキャナにより複数回反射された光を被検眼に照射する
ことを特徴とする眼科装置。
【請求項２】
前記光学系は、前記複数回の反射のうちの第ｎ回目の反射における反射方向と、第ｎ＋１回目の反射における入射方向とが異なるように、前記光源からの光を前記第１のミラースキャナに複数回反射させることを特徴とする請求項１に記載の眼科装置。
【請求項３】
前記光学系は、
反射部材と、
前記第１のミラースキャナにより反射された光を前記反射部材に導き、かつ、前記反射部材により反射された光を前記第１のミラースキャナに導く中間光学系と
を含む
ことを特徴とする請求項２に記載の眼科装置。
【請求項４】
前記反射部材は、光反射面の向きが可変な第２のミラースキャナを含むことを特徴とする請求項３に記載の眼科装置。
【請求項５】
前記第２のミラースキャナは、前記第１のミラースキャナによる光の偏向方向と異なる方向に光を偏向させることを特徴とする請求項４に記載の眼科装置。
【請求項６】
前記第２のミラースキャナは、前記第１のミラースキャナによる光の偏向方向に対して実質的に直交する方向に光を偏向させることを特徴とする請求項５に記載の眼科装置。
【請求項７】
前記第２のミラースキャナは、互いに直交する２方向にそれぞれ光を偏向させることを特徴とする請求項４〜請求項６のいずれか一項に記載の眼科装置。
【請求項８】
前記第２のミラースキャナは、共振型光スキャナ、ガルバノスキャナ、ポリゴンスキャナ、ＭＥＭＳ光マイクロミラースキャナ、および圧電ミラースキャナのうちのいずれかを含むことを特徴とする請求項４〜請求項７のいずれか一項に記載の眼科装置。
【請求項９】
前記反射部材の光反射面の向きが固定されていることを特徴とする請求項３に記載の眼科装置。
【請求項１０】
前記光スキャナは、
前記第１のミラースキャナにより複数回反射された後の光の経路に設けられ、光反射面の向きが可変な第３のミラースキャナを含み、
前記第３のミラースキャナにより反射された光を出力する
ことを特徴とする請求項９に記載の眼科装置。
【請求項１１】
前記第３のミラースキャナは、前記第１のミラースキャナによる光の偏向方向と異なる方向に光を偏向させることを特徴とする請求項１０に記載の眼科装置。
【請求項１２】
前記第３のミラースキャナは、前記第１のミラースキャナによる光の偏向方向に対して実質的に直交する方向に光を偏向させることを特徴とする請求項１１に記載の眼科装置。
【請求項１３】
前記第３のミラースキャナは、互いに直交する２方向にそれぞれ光を偏向させることを特徴とする請求項１０〜請求項１２のいずれか一項に記載の眼科装置。
【請求項１４】
前記第３のミラースキャナは、共振型光スキャナ、ガルバノスキャナ、ポリゴンスキャナ、ＭＥＭＳ光マイクロミラースキャナ、および圧電ミラースキャナのうちのいずれかを含むことを特徴とする請求項１０〜請求項１３のいずれか一項に記載の眼科装置。
【請求項１５】
前記中間光学系は１つ以上のレンズを含むことを特徴とする請求項３〜請求項１４のいずれか一項に記載の眼科装置。
【請求項１６】
前記中間光学系は１つ以上の凹面鏡を含むことを特徴とする請求項３〜請求項１４のいずれか一項に記載の眼科装置。
【請求項１７】
前記第１のミラースキャナは、共振型光スキャナ、ガルバノスキャナ、ポリゴンスキャナ、ＭＥＭＳ光マイクロミラースキャナ、および圧電ミラースキャナのうちのいずれかを含むことを特徴とする請求項１〜請求項１６のいずれか一項に記載の眼科装置。
【請求項１８】
前記第１のミラースキャナおよび前記第２のミラースキャナをそれぞれ制御するスキャン制御部を有することを特徴とする請求項４〜請求項８のいずれか一項に記載の眼科装置。
【請求項１９】
前記第１のミラースキャナおよび前記第３のミラースキャナをそれぞれ制御するスキャン制御部を有することを特徴とする請求項１０〜請求項１４のいずれか一項に記載の眼科装置。
【請求項２０】
被検眼の眼球運動の状態を監視する監視部を有し、
前記スキャン制御部は、前記監視部によりリアルタイムで取得される眼球運動の状態に基づいて前記光スキャナを制御する
ことを特徴とする請求項１８または請求項１９に記載の眼科装置。
【請求項２１】
前記照射光学系は、前記光源からの光を前記光スキャナにより偏向して眼底に照射することで眼底を所定の軌跡に沿ってスキャンし、
照射された光の眼底からの戻り光を受光する受光部と、
前記スキャンの軌跡を示す情報と、前記受光部による前記戻り光の受光結果とに基づいて、眼底の正面画像を形成する画像形成部と
を有することを特徴とする請求項１〜請求項２０のいずれか一項に記載の眼科装置。
【請求項２２】
前記照射光学系は、前記光源からの光を測定光と参照光とに分割する分割部材を含み、測定光を前記光スキャナにより偏向して被検眼に照射することで被検眼を所定の軌跡に沿ってスキャンし、
被検眼に照射された測定光の戻り光と参照光との干渉光を受光する受光部と、
前記スキャンの軌跡を示す情報と、前記受光部による前記干渉光の受光結果とに基づいて、被検眼の断面像を形成する画像形成部と
を有することを特徴とする請求項１〜請求項２０のいずれか一項に記載の眼科装置。
【請求項２３】
前記光源は、照準光と治療用レーザ光とをそれぞれ出力し、
前記照射光学系は、前記光源からそれぞれ出力された照準光および治療用レーザ光を、前記光スキャナにより偏向して眼底に照射する
ことを特徴とする請求項１〜請求項２０のいずれか一項に記載の眼科装置。
【請求項２４】
前記光スキャナを制御することにより、第１のパターンの前記照準光と、前記第１のパターンに基づき決定された第２のパターンの前記治療用レーザ光とを眼底に照射させる制御部を有することを特徴とする請求項２３に記載の眼科装置。
【発明の詳細な説明】
【技術分野】
【０００１】
この発明は、光スキャナを有する眼科装置に関する。
【背景技術】
【０００２】
光スキャナを有する眼科装置としては、走査型レーザ検眼鏡（ＳＬＯ）、光コヒーレンストモグラフィ（ＯＣＴ）装置、レーザ治療装置などがある。ＳＬＯは、レーザ光で眼底をスキャンし、その戻り光を高感度な受光デバイスで検出することにより、眼底の正面画像を形成する装置である（たとえば特許文献１を参照）。ＯＣＴ装置は、測定光で眼底や角膜をスキャンし、その戻り光と参照光との干渉光に基づいて断面像を形成する装置である（たとえば特許文献２を参照）。レーザ治療装置は、レーザ光の熱凝固作用を利用した治療に用いられる装置である（たとえば特許文献３を参照）。
【先行技術文献】
【特許文献】
【０００３】
【特許文献１】特許第４７７４２６１号
【特許文献２】特開２００７−１１７７１４号公報
【特許文献３】特開２０１２−２１３６３４号公報
【発明の概要】
【発明が解決しようとする課題】
【０００４】
このような眼科装置においては、スキャン範囲を拡大したいとの要望がある。たとえば、ＯＣＴ装置やＳＬＯにおいてスキャン範囲が拡大すれば、より広範囲の画像を得られるという利点がある。また、レーザ治療装置においてスキャン範囲が拡大すれば、より広範囲の治療を行えるというメリットがある。
【０００５】
従来の眼科装置では、被検眼の固視位置を変更するなどしてスキャン範囲を拡大していたが、固視位置の変更とスキャンとを反復する必要があるため、検査時間や治療時間が長くなるという問題があった。
【０００６】
反射部材の偏向角が大きい光スキャナを用いてスキャン範囲の拡大を図ることも考えられるが、このような光スキャナは高価格であり、また騒音や消費電力が増大するという問題が伴う。
【０００７】
スキャン範囲の拡大に加えて、ビームサイズ（ビーム径）の拡大やスキャンの高速化が要望される場合がある。たとえばＳＬＯにおいて、ビームサイズの拡大は戻り光の光量を増加させ、それにより画質の向上を図ることができる。また、スキャンの高速化は、動画撮影におけるフレームレートの向上や、固視微動などの眼球運動による画質低下の抑制に寄与する。
【０００８】
しかし、これら条件は互いにトレードオフの関係にあるため、これら条件を複合的に満足することは従来技術では困難であった。たとえばＳＬＯではスキャン速度が重要であり、光スキャナとして共振型光スキャナなどが用いられる。しかし、高速の光スキャナは一般に、スキャン範囲が狭いか、若しくはビームサイズに厳しい制限があるか、またはその双方である。そのため、従来は、撮像範囲よりもビームサイズを優先することで狭い範囲を高画質かつ高速で撮像するか、或いは、ビームサイズよりも撮像範囲を優先することで広範囲を低画質かつ高速で撮像するか、適宜選択をしていた。
【０００９】
高速化が可能な光スキャナとしてポリゴンスキャナがあるが、高速のポリゴンスキャナは高価であり、また大きなビームサイズの光を扱うことができないというデメリットがある。また、眼科装置においては、装置光学系の構成や被検眼の状態に応じて、光スキャナからの出射光の向きを調整する機構を設けることが必要となるが、寸法も重量も大きい高速のポリゴンスキャナを傾ける機構を設けることは実用的とは言い難い。
【００１０】
この発明の目的は、眼科装置において、このような問題を伴うことなくスキャン範囲の拡大を実現することにある。
【課題を解決するための手段】
【００１１】
請求項１に記載の発明は、光源からの光を光スキャナで偏向して被検眼に照射する照射光学系を有する眼科装置であって、前記光スキャナは、光反射面の向きが可変な第１のミラースキャナと、前記光源からの光を前記第１のミラースキャナに複数回反射させる光学系とを含み、前記照射光学系は、前記第１のミラースキャナにより複数回反射された光を被検眼に照射することを特徴とする眼科装置である。
請求項２に記載の発明は、請求項１に記載の眼科装置であって、前記光学系は、前記複数回の反射のうちの第ｎ回目の反射における反射方向と、第ｎ＋１回目の反射における入射方向とが異なるように、前記光源からの光を前記第１のミラースキャナに複数回反射させることを特徴とする。
請求項３に記載の発明は、請求項２に記載の眼科装置であって、前記光学系は、反射部材と、前記第１のミラースキャナにより反射された光を前記反射部材に導き、かつ、前記反射部材により反射された光を前記第１のミラースキャナに導く中間光学系とを含むことを特徴とする。
請求項４に記載の発明は、請求項３に記載の眼科装置であって、前記反射部材は、光反射面の向きが可変な第２のミラースキャナを含むことを特徴とする。
請求項５に記載の発明は、請求項４に記載の眼科装置であって、前記第２のミラースキャナは、前記第１のミラースキャナによる光の偏向方向と異なる方向に光を偏向させることを特徴とする。
請求項６に記載の発明は、請求項５に記載の眼科装置であって、前記第２のミラースキャナは、前記第１のミラースキャナによる光の偏向方向に対して実質的に直交する方向に光を偏向させることを特徴とする。
請求項７に記載の発明は、請求項４〜請求項６のいずれか一項に記載の眼科装置であって、前記第２のミラースキャナは、互いに直交する２方向にそれぞれ光を偏向させることを特徴とする。
請求項８に記載の発明は、請求項４〜請求項７のいずれか一項に記載の眼科装置であって、前記第２のミラースキャナは、共振型光スキャナ、ガルバノスキャナ、ポリゴンスキャナ、ＭＥＭＳ光マイクロミラースキャナ、および圧電ミラースキャナのうちのいずれかを含むことを特徴とする。
請求項９に記載の発明は、請求項３に記載の眼科装置であって、前記反射部材の光反射面の向きが固定されていることを特徴とする。
請求項１０に記載の発明は、請求項９に記載の眼科装置であって、前記光スキャナは、前記第１のミラースキャナにより複数回反射された後の光の経路に設けられ、光反射面の向きが可変な第３のミラースキャナを含み、前記第３のミラースキャナにより反射された光を出力することを特徴とする。
請求項１１に記載の発明は、請求項１０に記載の眼科装置であって、前記第３のミラースキャナは、前記第１のミラースキャナによる光の偏向方向と異なる方向に光を偏向させることを特徴とする。
請求項１２に記載の発明は、請求項１１に記載の眼科装置であって、前記第３のミラースキャナは、前記第１のミラースキャナによる光の偏向方向に対して実質的に直交する方向に光を偏向させることを特徴とする。
請求項１３に記載の発明は、請求項１０〜請求項１２のいずれか一項に記載の眼科装置であって、前記第３のミラースキャナは、互いに直交する２方向にそれぞれ光を偏向させることを特徴とする。
請求項１４に記載の発明は、請求項１０〜請求項１３のいずれか一項に記載の眼科装置であって、前記第３のミラースキャナは、共振型光スキャナ、ガルバノスキャナ、ポリゴンスキャナ、ＭＥＭＳ光マイクロミラースキャナ、および圧電ミラースキャナのうちのいずれかを含むことを特徴とする。
請求項１５に記載の発明は、請求項３〜請求項１４のいずれか一項に記載の眼科装置であって、前記中間光学系は１つ以上のレンズを含むことを特徴とする。
請求項１６に記載の発明は、請求項３〜請求項１４のいずれか一項に記載の眼科装置であって、前記中間光学系は１つ以上の凹面鏡を含むことを特徴とする。
請求項１７に記載の発明は、請求項１〜請求項１６のいずれか一項に記載の眼科装置であって、前記第１のミラースキャナは、共振型光スキャナ、ガルバノスキャナ、ポリゴンスキャナ、ＭＥＭＳ光マイクロミラースキャナ、および圧電ミラースキャナのうちのいずれかを含むことを特徴とする。
請求項１８に記載の発明は、請求項４〜請求項８のいずれか一項に記載の眼科装置であって、前記第１のミラースキャナおよび前記第２のミラースキャナをそれぞれ制御するスキャン制御部を有することを特徴とする。
請求項１９に記載の発明は、請求項１０〜請求項１４のいずれか一項に記載の眼科装置であって、前記第１のミラースキャナおよび前記第３のミラースキャナをそれぞれ制御するスキャン制御部を有することを特徴とする。
請求項２０に記載の発明は、請求項１８または請求項１９に記載の眼科装置であって、被検眼の眼球運動の状態を監視する監視部を有し、前記スキャン制御部は、前記監視部によりリアルタイムで取得される眼球運動の状態に基づいて前記光スキャナを制御することを特徴とする。
請求項２１に記載の発明は、請求項１〜請求項２０のいずれか一項に記載の眼科装置であって、前記照射光学系は、前記光源からの光を前記光スキャナにより偏向して眼底に照射することで眼底を所定の軌跡に沿ってスキャンし、照射された光の眼底からの戻り光を受光する受光部と、前記スキャンの軌跡を示す情報と、前記受光部による前記戻り光の受光結果とに基づいて、眼底の正面画像を形成する画像形成部とを有することを特徴とする。
請求項２２に記載の発明は、請求項１〜請求項２０のいずれか一項に記載の眼科装置であって、前記照射光学系は、前記光源からの光を測定光と参照光とに分割する分割部材を含み、測定光を前記光スキャナにより偏向して被検眼に照射することで被検眼を所定の軌跡に沿ってスキャンし、被検眼に照射された測定光の戻り光と参照光との干渉光を受光する受光部と、前記スキャンの軌跡を示す情報と、前記受光部による前記干渉光の受光結果とに基づいて、被検眼の断面像を形成する画像形成部とを有することを特徴とする。
請求項２３に記載の発明は、請求項１〜請求項２０のいずれか一項に記載の眼科装置であって、前記光源は、照準光と治療用レーザ光とをそれぞれ出力し、前記照射光学系は、前記光源からそれぞれ出力された照準光および治療用レーザ光を、前記光スキャナにより偏向して眼底に照射することを特徴とする。
請求項２４に記載の発明は、請求項２３に記載の眼科装置であって、前記光スキャナを制御することにより、第１のパターンの前記照準光と、前記第１のパターンに基づき決定された第２のパターンの前記治療用レーザ光とを眼底に照射させる制御部を有することを特徴とする。
【発明の効果】
【００１２】
この発明に係る眼科装置によれば、従来技術の問題を伴うことなくスキャン範囲の拡大を図ることができる。
【図面の簡単な説明】
【００１３】
【図１】実施形態に係る眼科装置の構成の例を示す。
【図２】実施形態に係る眼科装置による光スキャンの例を示す。
【図３】実施形態に係る光スキャナの構成の例を示す。
【図４】実施形態に係る光スキャナの構成の例を示す。
【図５】実施形態に係る光スキャナの構成の例を示す。
【図６】実施形態に係る光スキャナの構成の例を示す。
【図７】実施形態に係る光スキャナの構成の例を示す。
【図８Ａ】実施形態に係る光スキャナの構成の例を示す。
【図８Ｂ】実施形態に係る光スキャナの構成の例を示す。
【図９】変形例に係る眼科装置の構成の例を示す。
【図１０】変形例に係る眼科装置の構成の例を示す。
【図１１】変形例に係る眼科装置の構成の例を示す。
【図１２】変形例に係る眼科装置の構成の例を示す。
【発明を実施するための形態】
【００１４】
実施形態に係る眼科装置は光スキャナを有する眼科装置であり、その例として、ＳＬＯ、ＯＣＴ装置、レーザ治療装置などがある。以下、ＳＬＯについて特に詳しく説明するが、光スキャナを有する任意の眼科装置に対してこの発明を適用することが可能である。
【００１５】
光スキャナは光を走査するデバイスである。光スキャナは、ミラースキャナを有する。ミラースキャナは、光を反射する面を（光反射面）を有し、この光反射面を偏向可能に構成されたデバイスである。実施形態において適用可能なミラースキャナとしては、共振型光スキャナ、ガルバノスキャナ、ポリゴンスキャナ、ＭＥＭＳ光マイクロミラースキャナ、圧電ミラースキャナなどがある。
【００１６】
共振型光スキャナは、ミラーを共振運動させる構成の光スキャナであり、レゾナントスキャナなどとも呼ばれる。ガルバノスキャナは、往復揺動が可能なミラーを１つ以上備えた構成の光スキャナである。ポリゴンスキャナは、鏡面加工された多面鏡をモータで高速回転させる構成の光スキャナである。ＭＥＭＳ光マイクロミラースキャナは、ＭＥＭＳ（Ｍｉｃｒｏ  Ｅｌｅｃｔｒｏ  Ｍｅｃｈａｎｉｃａｌ  Ｓｙｓｔｅｍｓ）技術を用いてマイクロミラーを偏向可能に構成した光スキャナである。圧電ミラースキャナは、圧電素子をアクチュエータとしてミラーを偏向するように構成した光スキャナである。
【００１７】
なお、実施形態において適用可能な光スキャナはこれらには限定されない。また、複数のミラースキャナを具備する実施形態において、同種のミラースキャナを用いてもよいし、異種のミラースキャナを用いてもよい。
【００１８】
〈構成〉
実施形態に係るＳＬＯの構成例を図１に示す。ＳＬＯ１は、被検眼Ｅの眼底Ｅｆをレーザ光で走査し、その戻り光を高感度な受光デバイスで検出することにより、眼底Ｅｆの正面画像を形成する。ＳＬＯ１は、光学系と、処理系とを有する。光学系は、眼底Ｅｆの光学的な計測を行う。光学系は、各種の光学素子や光学デバイスを含んで構成される。処理系は、光学系により取得されたデータの処理や、装置各部の制御などを行う。処理系は、演算装置、制御装置、記憶装置（ＲＡＭ、ＲＯＭ、ハードディスクドライブなど）、ユーザインターフェイス、通信インターフェイスなどを含んで構成される。
【００１９】
（光学系）
光源部１０には、光源１１と、コリメートレンズ１２と、光学素子１３とが設けられている。光源１１としては、空間的コヒーレンシの高い光Ｌ０を出力する光源が用いられる。そのような光源として、半導体レーザ光源（波長掃引レーザ、スーパルミネッセンとダイオードなど）、固体レーザ、ガスレーザなどがある。また、このような光源から出力された光を光ファイバに結合させたものや、ファイバレーザなどを、光源１１として用いることも可能である。コリメートレンズ１２は、光源１１から出力された光Ｌ０を平行光束にする。
【００２０】
光学素子１３の適用は任意であり、その種類も任意である。一例として、開口（絞り）などの光束制限素子、波長板・偏光子などの偏光制御素子、波長選択フィルタなどの波長制限素子がある。また、光学素子１３は、同種または異種の光学素子を組み合わせた複合素子であってよい。また、複数の光学素子１３を選択的に適用可能な構成としてもよい。
【００２１】
コリメートレンズ１２により平行光束とされた光Ｌ０は、（光学素子１３を経由して）ビームスプリッタ３０に導かれる。光Ｌ０のうちビームスプリッタ３０を透過した成分（同じく光Ｌ０と呼ぶ）は、光スキャナ４０に導かれる。実施形態の光スキャナ４０は、２軸光スキャナであるとする。つまり、光スキャナ４０は、異なる２方向に光Ｌ０を偏向可能な構成を有する。光スキャナ４０の内部構成については後述する。
【００２２】
光スキャナ４０から出力される光Ｌは、２次元的に偏向されたコリメート光である。コリメート光Ｌは、リレーレンズ５０により集束光とされ、眼底Ｅｆと共役な面（眼底共役面）Ｐｃにおいて空中結像される。さらに、光Ｌは、合焦レンズとしての対物レンズ６０を透過し、被検眼Ｅに入射する。被検眼Ｅに入射した光Ｌは、虹彩Ｅｉの中央の瞳孔を通過し、水晶体Ｅｃを透過し、眼底Ｅｆにスポット光として結像される。
【００２３】
対物レンズ６０と鏡筒部６１は、その軸方向（つまり光軸方向）に移動可能に設けられている。対物レンズ６０と鏡筒部６１は、被検眼Ｅの屈折力に応じて光軸方向に移動される。それにより、眼底共役面Ｐｃが眼底Ｅｆと共役な位置に配置される。その結果、光Ｌは、鮮明なスポット光を眼底Ｅｆ上に形成する。
【００２４】
眼底Ｅｆに照射された光Ｌの戻り光を符号ＲＬで示す。戻り光ＲＬは、光Ｌのスポットの形成位置（およびその近傍）からＳＬＯ１に戻ってくる光である。戻り光ＲＬには、眼底Ｅｆによる光Ｌの散乱光（反射光や後方散乱光）、並びに、光Ｌを励起光とする蛍光およびその散乱光などが含まれる。
【００２５】
戻り光ＲＬは、水晶体Ｅｃを通過し、瞳孔を通過し、被検眼Ｅから出射する。被検眼Ｅから出射した戻り光ＲＬは、対物レンズ６０を透過し、眼底共役面Ｐｃにおいて空中結像され、リレーレンズ５０により平行光束に変換され、光スキャナ４０を経由し、ビームスプリッタ３０に導かれる。戻り光ＲＬのうちビームスプリッタ３０に反射された成分（同じく戻り光ＲＬと呼ぶ）は、受光部７０に導かれる。
【００２６】
受光部７０は、光学素子７１と、集光レンズ７２と、光束制限素子７３と、受光素子７４とを含む。なお、光学素子７１および光束制限素子７３の適用は任意である。
【００２７】
光学素子７１としては、光学素子１３と同様に、開口（絞り）などの光束制限素子、波長板・偏光子などの偏光制御素子、波長選択フィルタなどの波長制限素子、同種または異種の光学素子を組み合わせた複合素子が用いられる。また、複数の光学素子７１を選択的に適用可能な構成としてもよい。
【００２８】
光学素子７１を透過した戻り光ＲＬは、集光レンズ７２により集束光とされ、光束制限素子７３に導かれる。光束制限素子７３には、光を遮断する遮光領域と、光を通過させる開口（透光領域）とが設けられている。開口を通過した戻り光ＲＬ（の一部）は、受光素子７４により検出される。受光素子７４は、検出された戻り光ＲＬを光電変換し、電気信号（受光信号）を出力する。受光素子７４は、たとえばアバランシェフォトダイオードである。
【００２９】
以上のプロセスは、眼底Ｅｆの一点の計測に相当する。すなわち、以上のプロセスは、図２に示す単一のスポット光の照射領域ＳＬの計測に相当する。光スキャナ４０による２次元的走査によって、スポット光の照射領域ＳＬが移動される。図２の符号ＳＴｉ（ｉ＝１〜Ｎ）は、照射領域ＳＬの移動パターンの例を示す。本例では、同方向を向く互いに平行な複数の直線状の軌跡に沿って、スポット光の照射領域ＳＬが移動される。なお、照射領域ＳＬの移動パターンはこれに限定されるものではない。他の移動パターンの例として、交互に逆方向を向き且つ互いに平行な複数の直線状の軌跡や、非平行な複数の直線状の軌跡や、曲線状の軌跡などがある。受光素子７４は、各照射領域ＳＬからの戻り光ＲＬを検出して受光信号を出力する。それにより、眼底Ｅｆの複数の位置における計測が順次に実行される。
【００３０】
なお、図２において、符号Ｅｆ１は視神経乳頭を示し、符号Ｅｆ２は黄斑部を示し、符号Ｅｆ３は血管を示す。
【００３１】
上記構成では、簡単のために、光源部１０により出力される光Ｌ０を一種類に限定しているが、光源部１０は複数種類の光を出力可能に構成されていてよい。たとえば、出力波長が異なる複数の光源と、各光源に対応するコリメートレンズとを設け、これら光路を合流させる光学部材（ダイクロイックミラー等）を設けた構成を適用することが可能である。また、受光部７０についても、ビームスプリッタ３０からの光路を複数に分割する光学部材（ダイクロイックミラー等）を設け、これら光路のそれぞれに集光レンズおよび受光素子を配置した構成を適用することが可能である。
【００３２】
（処理系）
処理系は、制御部１００と、電源部１１０と、光源制御部１２０と、画像形成部１３０と、データ処理部１４０と、ユーザインターフェイス（ＵＩ）１５０とを含む。
【００３３】
（制御部１００）
処理系は、制御部１００を中心として構成される。制御部１００は、装置各部の制御を行う。制御部１００は、マイクロプロセッサおよび記憶装置を含んで構成される。記憶装置には、ＳＬＯ１を制御するためのコンピュータプログラムがあらかじめ格納される。このコンピュータプログラムには、光源制御用プログラム、光スキャナ制御用プログラム、電源制御用プログラム、統括制御用プログラムなどが含まれる。このようなコンピュータプログラムにしたがってマイクロプロセッサが動作することにより、制御部１００は制御処理を実行する。
【００３４】
光学系に対する制御として、光源制御部１２０を介した光源１１の制御、複数の光学素子１３（７１）が設けられている場合における光学素子１３（７１）の選択、光スキャナ４０の制御、対物レンズ６０および鏡筒部６１の移動、光束制限素子７３の開口サイズの変更、受光素子７４の動作制御などがある。処理系に対する制御として、各部の動作制御がある。
【００３５】
眼底Ｅｆの光学的計測が行われているときに、または光学的計測が終了した後に、制御部１００は、画素位置信号を生成し、画像形成部１３０に送る。画素位置信号は、光スキャナ制御用プログラムに基づく複数のスポット光の照射領域ＳＬの配置（つまり、光スキャナ４０による光の偏向パターン、ないし光スキャナ４０のミラースキャナの光反射面の向きの変更の流れ）に対応する複数の画素の配置を示す。
【００３６】
（電源部１１０）
電源部１１０は、商用電源や自家発電設備、バッテリなどから入力される電力に基づいて、ＳＬＯ１の各部に電力を供給する。制御部１００は、電源部１１０を制御することにより、電力供給モードの切り替えを行う。電力供給モードとしては、通常モード、省電力モード、休止モードなどがある。
【００３７】
（光源制御部１２０）
光源制御部１２０は、制御部１００による制御の下に光源１１を制御する。光源１１の制御は、たとえば電源部１１０から供給される電力を制御することにより行われる。また、複数の光源が設けられている場合、光源制御部１２０は、制御部１００による制御の下に、複数の光源に対して選択的に電力を供給する。それにより、複数の光源が選択的に使用される。光源制御部１２０は、たとえばマイクロプロセッサおよび記憶装置を含んで構成される。また、光源制御部１２０は、専用のハードウェアを含んで構成されてもよい。
【００３８】
（画像形成部１３０）
画像形成部１３０は、受光素子７４から入力される受光信号と、制御部１００から入力される画素位置信号とに基づいて、画像データを形成する。この画像データは、眼底Ｅｆの正面画像に相当する。
【００３９】
画像形成部１３０は、たとえばマイクロプロセッサおよび記憶装置を含んで構成される。記憶装置には、画像形成用プログラムがあらかじめ格納される。マイクロプロセッサが画像形成用プログラムにしたがって動作することによって画像形成処理の少なくとも一部が実行される。また、光源制御部１２０は、専用のハードウェアを含んで構成されてもよい。
【００４０】
画像形成部１３０は、Ａ／Ｄ変換部１３１と、眼底像形成部１３２と、メモリ部１３３とを含む。Ａ／Ｄ変換部１３１は、受光素子７４から入力される受光信号（アナログ信号）をデジタル信号に変換する。
【００４１】
眼底像形成部１３２は、Ａ／Ｄ変換部１３１から入力されるデジタル信号と、制御部１００から入力される画素位置信号とに基づいて、眼底Ｅｆの正面画像の画像データを形成する。この画像データ形成処理は、スポット光の各照射位置ＳＬに対応するデジタル信号に基づく情報（輝度などの画素値）と、その照射位置ＳＬに対応する画素位置とを関連付ける処理を含む。
【００４２】
メモリ部１３３は、画像形成部１３０の内部メモリとして機能し、眼底像形成部１３２により形成された画像データを一時的に記憶する。なお、メモリ部１３３の適用は任意である。画像形成部１３０により形成された画像データは、制御部１００に送られる。
【００４３】
（データ処理部１４０）
データ処理部１４０は、各種のデータ処理を実行する。データ処理の例として、画像形成部１３０または他の装置により形成された画像データに対する処理がある。この処理の例として、各種の画像処理や、画像データに基づく画像評価などの診断支援処理がある。
【００４４】
データ処理部１４０は、ＳＬＯ１の一部であってもよいし、外部装置であってもよい。前者の場合、データ処理部１４０は、たとえばマイクロプロセッサおよび記憶装置を含んで構成される。記憶装置には、１つ以上のデータ処理用プログラムがあらかじめ格納される。マイクロプロセッサがデータ処理用プログラムにしたがって動作することによってデータ処理が実行される。また、データ処理部１４０は、専用のハードウェアを含んで構成されてもよい。
【００４５】
後者の場合、データ処理部１４０は、コンピュータを含んで構成される。このコンピュータの例として、パーソナルコンピュータ、スマートフォン、タブレット端末、携帯情報端末（ＰＤＡ）、サーバなどがある。制御部１００は、このコンピュータと通信するためのインターフェイスを有する。コンピュータが表示機能を有する場合、外部装置としてのデータ処理部１４０は、制御部１００から送信された情報に基づく表示処理を実行する。この表示処理の対象の例として、画像データに基づく画像、撮影日時情報、撮影条件（スキャン条件、光源１１の種別、撮影光量など）がある。また、コンピュータがデータベース機能を有する場合、データ処理部１４０は、制御部１００から送信された情報の保管処理を実行する。データ処理部１４０による処理結果をＳＬＯ１（制御部１００）や他の装置に送信することができる。
【００４６】
なお、前者の場合においても後者の場合においても、データ処理部１４０の機能は上記に限定されるものではない。
【００４７】
（ユーザインターフェイス１５０）
ユーザインターフェイス１５０は、表示機能と、操作・入力機能とを有する。表示機能は、液晶ディスプレイ（ＬＣＤ）等の表示デバイスにより実現される。表示デバイスは、制御部１００による制御の下に情報を表示する。
【００４８】
操作・入力機能は、操作デバイスや入力デバイスにより実現される。これらの例として、ボタン、レバー、ノブ、マウス、キーボード、トラックボールなどがある。また、制御部１００が表示デバイスにグラフィカルユーザーインターフェース（ＧＵＩ）を表示させる構成としてもよい。この表示デバイスはタッチスクリーンであってよい。
【００４９】
〈光スキャナ４０の構成例〉
この実施形態の特徴の一つは光スキャナ４０の構成にある。光スキャナ４０は、光反射面の向きが可変なミラースキャナと、光源１１からの光Ｌ０をこのミラースキャナに複数回反射させる光学系とを含む。このような光スキャナ４０の構成例を以下に説明する。
【００５０】
（第１の構成例）
光スキャナ４０の第１の構成例を図３に示す。光スキャナ４０は、第１のスキャン部２１０と、リレーレンズ２２０と、第２のスキャン部２３０とを有する。第１のスキャン部２１０は、第１の方向に光Ｌ０を偏向する。リレーレンズ２２０は、第１のスキャン部２１０から出射された光Ｌ３を、第２のスキャン部２３０の光反射面に導く。第２のスキャン部２３０は、第１のスキャン部２１０とは異なる方向に光Ｌ３を偏向する。なお、リレーレンズ２２０の代わりに凹面鏡（たとえば対物面鏡）などを用いることも可能である。
【００５１】
本例では、第１のスキャン部２１０は符号Ｒ１で示す範囲における光Ｌのスキャンに寄与し、第２のスキャン部２３０は符号Ｒ２で示す範囲における光Ｌのスキャンに寄与する。なお、本例では、スキャン範囲Ｒ１およびＲ２が示す方向は互いに直交しているが、これら２つの範囲が示す方向は同一でなければよい。
【００５２】
第１のスキャン部２１０は、ミラースキャナ２１１と、レンズ２１２と、平面鏡２１３とを含む。レンズ２１２は、少なくとも１つのレンズを含んで構成される。
【００５３】
ミラースキャナ２１１は、矢印２１１ａに示す方向に所定角度の範囲で揺動可能に構成されている。それにより、その光反射面の向きが変更される。光スキャナ４０に入射した光Ｌ０は、ミラースキャナ２１１の光反射面に所定方向から入射し、その入射時における光反射面の向きに応じた方向に反射される。この反射光を符号Ｌ１で示す。
【００５４】
ミラースキャナ２１１による反射光Ｌ１はレンズ２１２に導かれる。反射光Ｌ１の進行方向の範囲は、ミラースキャナ２１１の揺動範囲によって規定される。レンズ２１２のサイズおよび配置は、ミラースキャナ２１１がその揺動範囲のいずれの方向を向いていても反射光Ｌ１がレンズ２１２に入射されるように設定されている。
【００５５】
レンズ２１２により屈折された反射光Ｌ１は、平面鏡２１３に入射する。平面鏡２１３により反射された光（反射光Ｌ２と呼ぶ）は、レンズ２１２により再び屈折された後に、ミラースキャナ２１１に再び入射して反射される。この反射光を符号Ｌ３で示す。反射光Ｌ３は、リレーレンズ２２０に向けて進行する。
【００５６】
所定範囲において揺動するミラースキャナ２１１による第１回目の反射における反射光Ｌ１の進行方向の変更範囲を符号θ１で示し、第２回目の反射における反射光Ｌ３の進行方向の変更範囲を符号θ２で示す。そうすると、図３に示す光Ｌ０、Ｌ１、Ｌ２およびＬ３の進行方向から分かるように、反射光Ｌ３の進行方向の変更範囲θ２は、反射光Ｌ１の進行方向の変更範囲θ１の２倍となる：θ２＝２×θ１。すなわち、ミラースキャナ２１１の揺動範囲が固定されていても、光スキャナ４０に入射した光Ｌ０を２回反射させることにより、１回しか反射させない場合と比較して、光スキャナ４０から出力される光Ｌのスキャン範囲を拡大することができる。なお、ミラースキャナ２１１の揺動範囲はθ１である。
【００５７】
本例では、１軸のミラースキャナ２１１の揺動中心と、レンズ２１２の中心位置と、平面鏡２１３の中心位置とが一直線上に配列されている。さらに、ミラースキャナ２１１の揺動中心に光Ｌ０が入射し、レンズ２１２の中心位置に対して一方の側（図３では上側）を反射光Ｌ１が通過し、他方の側（図３では下側）を反射光Ｌ２が通過するようになっている。しかし、ミラースキャナ２１１、レンズ２１２および平面鏡２１３の配置関係はこれには限定されず、ミラースキャナ２１１による反射を２回（以上）行わせることでスキャン範囲を拡大する（たとえばθ２＞θ１）ことが可能であれば、その配置関係は任意である。
【００５８】
第１のスキャン部２１０から出射された反射光Ｌ３は、リレーレンズ２２０に向けて進行する。リレーレンズ２２０のサイズおよび配置は、反射光Ｌ３がそのスキャン範囲のいずれの方向に進行していても反射光Ｌ３がリレーレンズ２２０に入射されるように設定されている。また、リレーレンズ２２０は、少なくとも１つのレンズを含んで構成される。
【００５９】
リレーレンズ２２０により屈折された反射光Ｌ３は、第２のスキャン部２３０の光反射面に入射し、この光反射面の向きに応じた方向に反射される。この反射光が、光スキャナ４０から出射される光Ｌとなる。第２のスキャン部２３０は、ミラースキャナを含んで構成される。前述したように、第２のスキャン部２３０は、第１のスキャン部２１０による光の偏向方向に対して実質的に直交する方向に光を偏向させる。符号２３０ａは、第２のスキャン部２３０に含まれるミラースキャナの揺動方向を示している。
【００６０】
このような構成により、光スキャナ４０から出射される光Ｌの進行方向を２次元的に変更することが可能となる。図３に示す例では、符号Ｒで示す範囲において、光Ｌの進行方向を変更することが可能である。
【００６１】
眼底Ｅｆにおけるスポット光の照射領域ＳＬの移動パターンと、第１のスキャン部２１０および第２のスキャン部２３０による光偏向方向との対応関係は任意である。たとえば、図２に示す直線状の軌跡ＳＴｉが延びる方向のスキャンを第１のスキャン部２１０により実行し、これに直交する方向へのスキャンを第２のスキャン部２３０により実行することができる。
【００６２】
上記の説明において平面鏡２１３は固定配置されているが、その光反射面の向きを変更可能に構成することも可能である。つまり、第１の構成例において、ミラースキャナを平面鏡２１３として用いることが可能である。その場合、平面鏡２１３によるスキャン方向は任意である。たとえば、少なくともミラースキャナ２１１と同じスキャン方向を平面鏡２１３が実現する場合、光Ｌのスキャン範囲Ｒ１のさらなる拡大を図ることができる。また、少なくとも第２のスキャン部２３０と同じスキャン方向を平面鏡２１３が実現する場合、光Ｌのスキャン範囲Ｒ２の拡大を図ることができる。
【００６３】
この構成例で説明した事項のうち他の構成例に適用可能なものについては、他の構成例において任意に適用することが可能である。
【００６４】
（第２の構成例）
光スキャナ４０の第２の構成例を図４に示す。光スキャナ４０は、スキャン部３１０を有する。スキャン部３１０は、第１の構成例の第１のスキャン部２１０における平面鏡２１３をミラースキャナ３１３に置き換えたものである。
【００６５】
スキャン部３１０は、ミラースキャナ３１１と、レンズ３１２と、ミラースキャナ３１３とを含む。本例では、ミラースキャナ３１１によるスキャン方向と、ミラースキャナ３１３によるスキャン方向とが、互いに直交しているものとする。ただし、これら２つのスキャン方向は必ずしも直交している必要はなく、互いに異なる方向であればよい。また、レンズ３１２は、少なくとも１つのレンズを含んで構成される。
【００６６】
ミラースキャナ３１１は、矢印３１１ａに示す方向に所定角度の範囲で揺動可能に構成されている。光スキャナ４０に入射した光Ｌ０は、ミラースキャナ３１１の光反射面に所定方向から入射し、その入射時における光反射面の向きに応じた方向に反射される。この反射光を符号Ｌ１で示す。
【００６７】
ミラースキャナ３１１による反射光Ｌ１はレンズ３１２に導かれる。反射光Ｌ１の進行方向の範囲は、ミラースキャナ３１１の揺動範囲によって規定される。ミラースキャナ３１１の揺動範囲をθ１とすると、反射光Ｌ１の進行方向の変更範囲もθ１となる。
【００６８】
レンズ３１２により屈折された反射光Ｌ１は、ミラースキャナ３１３に入射し、光反射面の向きに応じた方向に反射される。ミラースキャナ３１３は、矢印３１３ａに示す方向に所定角度の範囲で揺動可能に構成されている。ミラースキャナ３１３の揺動方向３１３ａは、光の進行方向に対して、ミラースキャナ３１１の揺動方向３１１ａと実質的に直交している。ミラースキャナ３１３により反射された光（反射光Ｌ２と呼ぶ）は、レンズ３１２により再び屈折された後に、ミラースキャナ３１１に再び入射して反射される。この反射光が、光スキャナ４０から出射される光Ｌとなる。
【００６９】
図４に示す光Ｌ０、Ｌ１、Ｌ２およびＬの進行方向から分かるように、光Ｌの進行方向の変更範囲θ２は、反射光Ｌ１の進行方向の変更範囲θ１の２倍となる：θ２＝２×θ１。すなわち、ミラースキャナ３１１の揺動範囲が固定されていても、光スキャナ４０に入射した光Ｌ０を２回反射させることにより、１回しか反射させない場合と比較して、光スキャナ４０から出力される光Ｌのスキャン範囲を拡大することができる。
【００７０】
本例では、１軸のミラースキャナ３１１の揺動中心と、レンズ３１２の中心位置と、１軸のミラースキャナ３１３の揺動中心とが一直線上に配列されている。さらに、ミラースキャナ３１１の揺動中心に光Ｌ０が入射し、レンズ３１２の中心位置に対して一方の側（図４では上側）を反射光Ｌ１が通過し、他方の側（図４では下側）を反射光Ｌ２が通過するようになっている。しかし、ミラースキャナ３１１、レンズ３１２およびミラースキャナ３１３の配置関係はこれには限定されない。
【００７１】
このような構成により、光スキャナ４０から出射される光Ｌの進行方向を２次元的に変更することが可能となる。図４に示す例では、符号Ｒで示す範囲において、光Ｌの進行方向を変更することが可能である。２次元の範囲Ｒにおいて、一の方向におけるスキャンはミラースキャナ３１１により実現され、当該一の方向に直交する方向におけるスキャンはミラースキャナ３１３により実現される。
【００７２】
眼底Ｅｆにおけるスポット光の照射領域ＳＬの移動パターンと、２つのミラースキャナ３１１および３１３による光偏向方向との対応関係は任意である。たとえば、図２に示す直線状の軌跡ＳＴｉが延びる方向のスキャンをミラースキャナ３１１により実行し、これに直交する方向へのスキャンをミラースキャナ３１３により実行することができる。
【００７３】
この構成例で説明した事項のうち他の構成例に適用可能なものについては、他の構成例において任意に適用することが可能である。
【００７４】
（第３の構成例）
光スキャナ４０の第３の構成例を図５に示す。光スキャナ４０は、ミラースキャナ４１１と、レンズ４１２と、２軸ミラースキャナ４１３とを含む。２軸ミラースキャナ４１３は、異なる２方向に光を偏向可能な構成を有する。
【００７５】
本例では、ミラースキャナ４１１によるスキャン方向と、２軸ミラースキャナ４１３による２つのスキャン方向の１つとが一致し、かつ、２軸ミラースキャナ４１３の２つのスキャン方向が互いに直交しているものとする。ただし、ミラースキャナ４１１のスキャン方向と、２軸ミラースキャナ４１３のスキャン方向との関係はこれには限定されない。また、２軸ミラースキャナ４１３の２つのスキャン方向は必ずしも直交している必要はなく、互いに異なる方向であればよい。また、レンズ４１２は、少なくとも１つのレンズを含んで構成される。
【００７６】
ミラースキャナ４１１は、矢印４１１ａに示す方向に所定角度の範囲で揺動可能に構成されている。光スキャナ４０に入射した光Ｌ０は、ミラースキャナ４１１の光反射面に所定方向から入射し、その入射時における光反射面の向きに応じた方向に反射される。この反射光を符号Ｌ１で示す。
【００７７】
ミラースキャナ４１１による反射光Ｌ１はレンズ４１２に導かれる。反射光Ｌ１の進行方向の範囲は、ミラースキャナ４１１の揺動範囲によって規定される。ミラースキャナ４１１の揺動範囲をθ１とすると、反射光Ｌ１の進行方向の変更範囲もθ１となる。
【００７８】
レンズ４１２により屈折された反射光Ｌ１は、２軸ミラースキャナ４１３に入射し、光反射面の向きに応じた方向に反射される。２軸ミラースキャナ４１３の光反射面は、矢印４１３ａおよび４１３ｂに示す互いに直交する方向に、それぞれ所定角度の範囲で偏向可能とされている。偏向方向４１３ａは、光の進行方向に対して、ミラースキャナ４１１の揺動方向４１１ａと実質的に同じである。２軸ミラースキャナ４１３により反射された光（反射光Ｌ２と呼ぶ）は、レンズ４１２により再び屈折された後に、ミラースキャナ４１１に再び入射して反射される。この反射光が、光スキャナ４０から出射される光Ｌとなる。
【００７９】
図５に示す光Ｌ０、Ｌ１、Ｌ２およびＬの進行方向から分かるように、光Ｌの進行方向の変更範囲θ２は、反射光Ｌ１の進行方向の変更範囲θ１の２倍となる：θ２＝２×θ１。すなわち、ミラースキャナ４１１の揺動範囲が固定されていても、光スキャナ４０に入射した光Ｌ０を２回反射させることにより、１回しか反射させない場合と比較して、光スキャナ４０から出力される光Ｌのスキャン範囲を拡大することができる。
【００８０】
本例では、１軸のミラースキャナ４１１の揺動中心と、レンズ４１２の中心位置と、２軸ミラースキャナ４１３の偏向中心とが一直線上に配列されている。さらに、ミラースキャナ４１１の揺動中心に光Ｌ０が入射し、レンズ４１２の中心位置に対して一方の側（図５では下側）を反射光Ｌ１が通過し、他方の側（図５では上側）を反射光Ｌ２が通過するようになっている。しかし、ミラースキャナ４１１、レンズ４１２および２軸ミラースキャナ４１３の配置関係はこれには限定されない。
【００８１】
このような構成により、光スキャナ４０から出射される光Ｌの進行方向を２次元的に且つ広範囲に変更することが可能となる。なお、図５に示す例では、２次元のスキャン範囲において、一の方向におけるスキャンはミラースキャナ４１１および２軸ミラースキャナ４１３により実現され、当該一の方向に直交する方向におけるスキャンは２軸ミラースキャナ４１３により実現される。
【００８２】
眼底Ｅｆにおけるスポット光の照射領域ＳＬの移動パターンと、２つのミラースキャナ４１１および４１３による光偏向方向との対応関係は任意である。たとえば、図２に示す直線状の軌跡ＳＴｉが延びる方向のスキャンをミラースキャナ４１１および２軸ミラースキャナ４１３により実行し、これに直交する方向へのスキャンを２軸ミラースキャナ４１３により実行することができる。
【００８３】
また、本例では、２軸ミラースキャナ４１３を用いることにより、光スキャナ４０から出力される光Ｌの進行方向を能動的に調整することが可能である。光Ｌの進行方向の能動的な調整（ａｃｔｉｖｅ  ａｄｊｕｓｔｍｅｎｔ）とは、測定環境や測定条件の変化に応じて、光Ｌの進行方向を調整することである。測定環境や測定条件の変化の例として、固視微動等の眼球運動、縮瞳、瞬きのような、被検眼Ｅの状態の変化がある。
【００８４】
ＳＬＯ１は、たとえば、被検眼Ｅの眼球運動の状態を監視する監視部を有する。監視部は、たとえば、制御部１００と、データ処理部１４０と、観察光学系とを含む。なお、後述の画像解析処理を制御部１００に実行させる場合、監視部はデータ処理部１４０を含まなくてよい。
【００８５】
観察光学系は、被検眼Ｅの動画撮影を行うことにより観察画像を取得する。観察光学系は、眼底Ｅｆまたは前眼部の動画撮影を行う。眼底Ｅｆの動画撮影を行う場合、ＳＬＯ１の光学系が観察光学系として用いられる。前眼部の動画撮影を行う場合、そのための光学系が別途設けられる。この光学系の光路は、図１に示すＳＬＯ１の光学系の光路にビームスプリッタによって合成される。或いは、この光学系は、ＳＬＯ１の筐体の被検眼Ｅ側の位置に設けられる。前者の場合にはＳＬＯ１の光学系と観察光学系とが同軸構成となり、後者の場合にはＳＬＯ１の光学系と観察光学系とは非同軸構成となる。
【００８６】
観察光学系によりリアルタイムで取得される観察画像の画像データは、制御部１００に入力される。制御部１００は、観察画像の画像データをリアルタイムでデータ処理部１４０に送る。
【００８７】
データ処理部１４０は、制御部１００から逐次に入力される画像データを解析することにより、被検眼Ｅの眼球運動の状態およびその変化を検出する。この処理は、たとえば、逐次に入力される画像データの画素値（輝度値など）に基づいて眼底Ｅｆの所定の特徴点の位置を検出する処理と、この特徴点の検出位置の変化を監視する処理とを含む。眼底Ｅｆの特徴点としては、視神経乳頭の中心・輪郭の位置、黄斑の中心・輪郭の位置、血管の分岐点の位置、主要な血管の位置、病変部の位置、治療痕の位置などがある。データ処理部１４０は、上記画像解析処理の結果をリアルタイムで制御部１００に送る。
【００８８】
制御部１００は、データ処理部１４０から逐次に入力される解析結果に基づいて光スキャナ４０の２軸ミラースキャナ４１３を制御する。具体例として、解析結果が眼球運動の変位方向および変位量を示す場合、制御部１００は、当該変位方向に当該変位量だけ光Ｌの進行方向を変更させるように２軸ミラースキャナ４１３を制御する。それにより、図２に示すように眼底Ｅｆの光スキャンを行なっている最中に眼球運動が発生した場合において、眼底Ｅｆに対するスポット光ＳＰの形成位置を眼球運動に応じてリアルタイムで追従させることが可能となる。縮瞳や瞬きを考慮する場合についても、これらを検知するための公知の技術を用いて同様の制御を行うことが可能である。
【００８９】
この構成例で説明した事項のうち他の構成例に適用可能なものについては、他の構成例において任意に適用することが可能である。
【００９０】
（第４の構成例）
光スキャナ４０の第４の構成例を図６に示す。本例は、光スキャナ４０に対する入射光Ｌ０の入射方向と、光スキャナ４０から出力される光Ｌの出射方向とが、第３の構成例と異なるように構成された場合を示す。本例の光スキャナ４０は、第３の構成例と同様に、ミラースキャナ５１１と、レンズ５１２と、２軸ミラースキャナ５１３とを含む。２軸ミラースキャナ５１３の光反射面は、矢印５１３ａおよび５１３ｂに示す互いに直交する方向に、それぞれ所定角度の範囲で偏向可能に構成されている。本例によれば、第３の構成例と同様の作用および効果が得られる。
【００９１】
（第５の構成例）
光スキャナ４０の第５の構成例を図７に示す。本例では、２つのミラースキャナの間に配置される光学系として凹面鏡が用いられている。すなわち、第１、第２、第３および第４の構成例におけるレンズ２１２、３１２、４１２および５１２の代わりに、凹面鏡が用いられている。
【００９２】
光スキャナ４０は、ミラースキャナ６１１と、凹面鏡６１２と、２軸ミラースキャナ６１３とを含む。本例では、ミラースキャナ６１１によるスキャン方向と、２軸ミラースキャナ６１３による２つのスキャン方向の１つとが一致し、かつ、２軸ミラースキャナ６１３の２つのスキャン方向が互いに直交しているものとする。また、ミラースキャナ６１１と２軸ミラースキャナ６１３との間に、複数の凹面鏡が設けられてもよい。また、ミラースキャナ６１１と２軸ミラースキャナ６１３との間に、１つ以上の凹面鏡と、１つ以上のレンズとが設けられてもよい。
【００９３】
ミラースキャナ６１１は、矢印６１１ａに示す方向に所定角度の範囲で揺動可能に構成されている。光スキャナ４０に入射した光Ｌ０は、ミラースキャナ６１１の光反射面に所定方向から入射し、その入射時における光反射面の向きに応じた方向に反射される。この反射光を符号Ｌ１で示す。
【００９４】
ミラースキャナ６１１による反射光Ｌ１は凹面鏡６１２に導かれる。反射光Ｌ１の進行方向の範囲は、ミラースキャナ６１１の揺動範囲によって規定される。ミラースキャナ６１１の揺動範囲をθ１とすると、反射光Ｌ１の進行方向の変更範囲もθ１となる。
【００９５】
反射光Ｌ１は、凹面鏡６１２により反射されて２軸ミラースキャナ６１３に入射し、その光反射面の向きに応じた方向に反射される。２軸ミラースキャナ６１３の光反射面は、矢印６１３ａおよび６１３ｂに示す互いに直交する方向に、それぞれ所定角度の範囲で偏向可能とされている。偏向方向６１３ａは、光の進行方向に対して、ミラースキャナ６１１の揺動方向４１１ａと実質的に同じである。２軸ミラースキャナ６１３により反射された光（反射光Ｌ２と呼ぶ）は、凹面鏡６１２により再び反射された後に、ミラースキャナ６１１に再び入射して反射される。この反射光が、光スキャナ４０から出射される光Ｌとなる。
【００９６】
図７に示す光Ｌ０、Ｌ１、Ｌ２およびＬの進行方向から分かるように、光Ｌの進行方向の変更範囲θ２は、反射光Ｌ１の進行方向の変更範囲θ１の２倍となる：θ２＝２×θ１。すなわち、ミラースキャナ６１１の揺動範囲が固定されていても、光スキャナ４０に入射した光Ｌ０を２回反射させることにより、１回しか反射させない場合と比較して、光スキャナ４０から出力される光Ｌのスキャン範囲を拡大することができる。
【００９７】
本例では、１軸のミラースキャナ６１１の揺動中心と、凹面鏡６１２の中心位置と、２軸ミラースキャナ６１３の偏向中心とが一直線上に配列されている。さらに、ミラースキャナ６１１の揺動中心に光Ｌ０が入射し、凹面鏡６１２の中心位置に対して一方の側（図７では下側）に反射光Ｌ１が入射し、他方の側（図７では上側）に反射光Ｌ２が入射するようになっている。しかし、ミラースキャナ６１１、凹面鏡６１２および２軸ミラースキャナ６１３の配置関係はこれには限定されない。
【００９８】
このような構成により、光スキャナ４０から出射される光Ｌの進行方向を２次元的に且つ広範囲に変更することが可能となる。なお、図７に示す例では、２次元のスキャン範囲において、一の方向におけるスキャンはミラースキャナ６１１および２軸ミラースキャナ６１３により実現され、当該一の方向に直交する方向におけるスキャンは２軸ミラースキャナ６１３により実現される。
【００９９】
眼底Ｅｆにおけるスポット光の照射領域ＳＬの移動パターンと、２つのミラースキャナ６１１および６１３による光偏向方向との対応関係は任意である。たとえば、図２に示す直線状の軌跡ＳＴｉが延びる方向のスキャンをミラースキャナ６１１および２軸ミラースキャナ６１３により実行し、これに直交する方向へのスキャンを２軸ミラースキャナ６１３により実行することができる。
【０１００】
また、本例では、２軸ミラースキャナ６１３が用いられているので、第３の構成例で説明した、光スキャナ４０から出力される光Ｌの進行方向の能動的な調整を行うことが可能である。
【０１０１】
この構成例で説明した事項のうち他の構成例に適用可能なものについては、他の構成例において任意に適用することが可能である。
【０１０２】
（第６の構成例）
光スキャナ４０の第６の構成例を図８Ａおよび図８Ｂに示す。本例では、光Ｌ０の入射方向と光Ｌの出射方向とが図８Ａの紙面の奥行方向にずれている構成の光スキャナ４０について説明する。
【０１０３】
光スキャナ４０は、ミラースキャナ７１１と、レンズ７１２と、２軸ミラースキャナ７１３とを含む。レンズ７１２は、少なくとも１つのレンズを含んで構成される。
【０１０４】
ミラースキャナ７１１は、矢印７１１ａに示す方向に所定角度の範囲で揺動可能に構成されている。光Ｌ０は、ミラースキャナ７１１、レンズ７１２および２軸ミラースキャナ７１３の配列方向に対して斜交する方向からミラースキャナ７１１に入射し、その入射時における光反射面の向きに応じた方向に反射される。この反射光を符号Ｌ１で示す。ミラースキャナ７１１は、図８Ａの視点においては光を偏向し、且つ、図８Ｂに示す視点においては光を直進させるような３次元的な方向に、光Ｌ０を反射する。
【０１０５】
ミラースキャナ７１１による反射光Ｌ１はレンズ７１２に導かれる。反射光Ｌ１の進行方向の範囲は、ミラースキャナ７１１の揺動範囲によって規定される。ミラースキャナ７１１の揺動範囲をθ１とすると、反射光Ｌ１の進行方向の変更範囲もθ１となる。
【０１０６】
反射光Ｌ１は、レンズ７１２により屈折されて２軸ミラースキャナ７１３に入射し、その光反射面の向きに応じた方向に反射される。２軸ミラースキャナ７１３の光反射面は、矢印７１３ａおよび７１３ｂに示す互いに直交する方向に、それぞれ所定角度の範囲で偏向可能とされている。偏向方向７１３ａは、光の進行方向に対して、ミラースキャナ７１１の揺動方向７１１ａと実質的に同じである。２軸ミラースキャナ７１３により反射された光（反射光Ｌ２と呼ぶ）は、レンズ７１２により再び屈折された後に、ミラースキャナ７１１に再び入射して反射される。この反射光が、光スキャナ４０から出射される光Ｌとなる。
【０１０７】
図８Ａおよび図８Ｂに示す光Ｌ０、Ｌ１、Ｌ２およびＬの進行方向から分かるように、光Ｌの進行方向の変更範囲θ２は、反射光Ｌ１の進行方向の変更範囲θ１の２倍となる：θ２＝２×θ１。すなわち、ミラースキャナ７１１の揺動範囲が固定されていても、光スキャナ４０に入射した光Ｌ０を２回反射させることにより、１回しか反射させない場合と比較して、光スキャナ４０から出力される光Ｌのスキャン範囲を拡大することができる。
【０１０８】
本例では、１軸のミラースキャナ７１１の揺動中心と、レンズ７１２の中心位置と、２軸ミラースキャナ７１３の揺動中心とが一直線上に配列されている。さらに、ミラースキャナ７１１の揺動中心に対して一方の側（図８Ｂでは左側）から入射した光Ｌ０が他方の側（図８Ｂでは右側）に反射し、この反射光Ｌ１がレンズ７１２により上記一方の側に向けて屈折し、２軸ミラースキャナ７１３の偏向中心に対して反射光Ｌ１が上記他方の側から入射して上記一方の側に反射し、この反射光Ｌ２がレンズ７１２により上記他方の側に向けて屈折し、ミラースキャナ７１１の揺動中心に対して反射光Ｌ２が上記一方の側から上記他方の側に反射することで、光スキャナ４０から出力される光Ｌが得られるようになっている。しかし、ミラースキャナ７１１、レンズ７１２および２軸ミラースキャナ７１３の配置関係はこれには限定されない。
【０１０９】
このような構成により、光スキャナ４０から出射される光Ｌの進行方向を２次元的に且つ広範囲に変更することが可能となる。なお、図８Ａおよび図８Ｂに示す例では、２次元のスキャン範囲において、一の方向におけるスキャンはミラースキャナ７１１および２軸ミラースキャナ７１３により実現され、当該一の方向に直交する方向におけるスキャンは２軸ミラースキャナ７１３により実現される。
【０１１０】
また、本例では、２軸ミラースキャナ７１３が用いられているので、第３の構成例で説明した、光スキャナ４０から出力される光Ｌの進行方向の能動的な調整を行うことが可能である。
【０１１１】
この構成例で説明した事項のうち他の構成例に適用可能なものについては、他の構成例において任意に適用することが可能である。
【０１１２】
〈作用・効果〉
実施形態に係る眼科装置（ＳＬＯ１）の作用および効果について説明する。
【０１１３】
実施形態に係る眼科装置（ＳＬＯ１）は、光源（１１）からの光を光スキャナ（４０）で偏向して被検眼（Ｅ）に照射する照射光学系（光源部１０、ビームスプリッタ３０、光スキャナ４０、リレーレンズ５０および対物レンズ６０）を有する。光スキャナ（４０）は、第１のミラースキャナ（ミラースキャナ２１１、３１１、４１１、５１１、６１１および７１１）と、光学系（レンズ２１２および平面鏡２１３、レンズ３１２およびミラースキャナ３１３、レンズ４１２および２軸ミラースキャナ４１３、レンズ５１２および２軸ミラースキャナ５１３、凹面鏡６１２および２軸ミラースキャナ６１３、並びに、レンズ７１２および２軸ミラースキャナ７１３）とを有する。第１のミラースキャナは、光反射面の向きが可変とされている。光学系は、光源からの光（Ｌ０）を第１のミラースキャナに複数回反射させるように構成されている。照射光学系は、第１のミラースキャナにより複数回反射された光（Ｌ）を被検眼Ｅに照射する。
【０１１４】
このような眼科装置によれば、光源からの光を第１のミラースキャナに複数回反射させる構成を光スキャナの作用により、スキャン範囲を拡大することが可能である。さらに、従来のように被検眼の固視位置を変更することなくスキャン範囲の拡大を実現することができるので、検査時間や治療時間の短縮を図ることができる。また、第１のミラースキャナとして偏向角が大きいものを用いることなくスキャン範囲を拡大することができるので、コストや騒音、消費電力の低減を図ることができる。また、スキャン範囲の拡大に加えてビームサイズ（ビーム径）の拡大やスキャンの高速化を同時に満足することができる。このように、実施形態に係る眼科装置によれば、従来の問題を伴うことなくスキャン範囲の拡大を実現することが可能である。
【０１１５】
なお、上記実施形態では、光源からの光を第１のミラースキャナに２回反射させるよう構成された光学系について説明したが、この反射回数は３回以上であってよい。それを実現するための光学系の構成は任意である。
【０１１６】
第１のミラースキャナは、共振型光スキャナ、ガルバノスキャナ、ポリゴンスキャナ、ＭＥＭＳ光マイクロミラースキャナ、および圧電ミラースキャナのうちのいずれかを含んでいてよい。
【０１１７】
光スキャナの上記光学系は、第ｎ回目の反射における反射方向と、第ｎ＋１回目の反射における入射方向とが異なるように、光源からの光を第１のミラースキャナに複数回反射させるように構成されていてよい。たとえば、図３〜図８Ｂに示す光スキャナ４０において、ミラースキャナ２１１、３１１、４１１、５１１、６１１および７１１による第１回目の反射における反射光Ｌ１の進行方向と、第２回目の反射における反射光Ｌ２の進行方向とは、同一直線状にない。すなわち、第１回目の反射における反射方向と、第２回目の反射における入射方向とが異なる。なお、第１のミラースキャナによる反射が３回以上行われる構成が適用される場合、少なくとも一対の反射（たとえば第２回目の反射と第３回目の反射）において上記条件が満足されればよい。
【０１１８】
光スキャナの上記光学系は、反射部材（平面鏡２１３、ミラースキャナ３１３、並びに、２軸ミラースキャナ４１３、５１３、６１３および７１３）と、中間光学系（レンズ２１２、３１２、４１２、５１２および７１２、並びに、凹面鏡６１２）とを含んでいてよい。中間光学系は、第１のミラースキャナにより反射された光を反射部材に導き、かつ、反射部材により反射された光を第１のミラースキャナに導く。
【０１１９】
反射部材は、光反射面の向きが可変な第２のミラースキャナ（ミラースキャナ３１３、並びに、２軸ミラースキャナ４１３、５１３、６１３および７１３）を含んでいてよい。なお、第１のミラースキャナによる光の反射回数が３回以上である場合、第２のミラースキャナを２つ以上設けるようにしてよい。
【０１２０】
第２のミラースキャナ（ミラースキャナ３１３、並びに、２軸ミラースキャナ４１３、５１３、６１３および７１３）は、第１のミラースキャナによる光の偏向方向と異なる方向に光を偏向させるように構成されていてよい。
【０１２１】
第２のミラースキャナ（ミラースキャナ３１３、並びに、２軸ミラースキャナ４１３、５１３、６１３および７１３）は、第１のミラースキャナによる光の偏向方向に対して実質的に直交する方向に光を偏向させるように構成されていてよい。
【０１２２】
第２のミラースキャナ（２軸ミラースキャナ４１３、５１３、６１３および７１３）は、互いに直交する２方向にそれぞれ光を偏向させるように構成されていてよい。
【０１２３】
第２のミラースキャナ（ミラースキャナ３１３、並びに、２軸ミラースキャナ４１３、５１３、６１３および７１３）は、共振型光スキャナ、ガルバノスキャナ、ポリゴンスキャナ、ＭＥＭＳ光マイクロミラースキャナ、および圧電ミラースキャナのうちのいずれかを含んでいてよい。
【０１２４】
実施形態に係る眼科装置は、第１のミラースキャナおよび第２ミラースキャナをそれぞれ制御するスキャン制御部（制御部１００）を有していてよい。
【０１２５】
光スキャナの上記光学系の反射部材（平面鏡２１３）は、その光反射面の向きが固定されていてよい。
【０１２６】
反射部材の光反射面の向きが固定されている場合、光スキャナは、第１のミラースキャナにより複数回反射された後の光（Ｌ３）の経路に設けられ、光反射面の向きが可変な第３のミラースキャナ（第２のスキャン部２３０）を含んでいてよい。光スキャナは、第３のミラースキャナにより反射された光（Ｌ）を出力する。
【０１２７】
第３のミラースキャナは、第１のミラースキャナによる光の偏向方向（Ｒ１）と異なる方向（Ｒ２）に光を偏向させるように構成されていてよい。それにより、２次元的な光スキャンが可能となる。
【０１２８】
第３のミラースキャナは、第１のミラースキャナによる光の偏向方向（Ｒ１）に対して実質的に直交する方向（Ｒ２）に光を偏向させるように構成されていてよい。
【０１２９】
第３のミラースキャナは、互いに直交する２方向にそれぞれ光を偏向させるように構成されていてよい。そのための構成例として、図３に示す１軸のミラースキャナからなる第２のスキャン部２３０の代わりに、２軸ミラースキャナを適用することが可能である。
【０１３０】
第３のミラースキャナは、共振型光スキャナ、ガルバノスキャナ、ポリゴンスキャナ、ＭＥＭＳ光マイクロミラースキャナ、および圧電ミラースキャナのうちのいずれかを含んでいてよい。
【０１３１】
実施形態に係る眼科装置は、第１のミラースキャナおよび第３ミラースキャナをそれぞれ制御するスキャン制御部（制御部１００）を有していてよい。
【０１３２】
光スキャナの中間光学系は、１つ以上のレンズ（レンズ２１２、３１２、４１２、５１２および７１２）、および／または、１つ以上の凹面鏡（凹面鏡６１２）を含んでいてよい。
【０１３３】
実施形態に係る眼科装置は、被検眼（Ｅ）の眼球運動の状態を監視する監視部（制御部１００および観察光学系（並びにデータ処理部１４０））を有していてよい。その場合、スキャン制御部（制御部１００）は、監視部によりリアルタイムで取得される眼球運動の状態に基づいて光スキャナを制御することができる。この構成によれば、被検眼の眼球運動の状態に応じて光スキャンをリアルタイムで追従させることができ、眼球運動に起因する画質の低下を防止することが可能となる。
【０１３４】
実施形態に係る眼科装置はＳＬＯとしての機能を有していてよい。その場合、照射光学系は、光源からの光を光スキャナにより偏向して眼底（Ｅｆ）に照射することで、眼底を所定の軌跡（たとえば図２の軌跡ＳＴｉ）に沿ってスキャンする。さらに、ＳＬＯとして機能する眼科装置は、受光部（７０）と、画像形成部（１３０）とを有する。受光部は、照射光学系により照射された光（Ｌ）の眼底からの戻り光（ＲＬ）を受光する。画像形成部は、スキャンの軌跡を示す情報（たとえば実施形態の画素位置信号）と、受光部による戻り光の受光結果とに基づいて、眼底の正面画像を形成する。
【０１３５】
このような構成のＳＬＯによれば、広範囲にわたる眼底の正面画像を一連のスキャンにより取得することができる。また、スキャン範囲の拡大、ビームサイズの拡大およびスキャンの高速化を同時に満足することができる。
【０１３６】
〈変形例〉
以上に説明した構成は、この発明を好適に実施するための一例に過ぎない。よって、この発明の要旨の範囲内における任意の変形（省略、置換、付加等）を適宜に施すことが可能である。
【０１３７】
（変形例１：光コヒーレンストモグラフィ装置）
上記実施形態で説明した光スキャナを、ＯＣＴを用いて被検眼の断面像や３次元画像を形成する装置に適用することが可能である。この明細書では、ＯＣＴによって取得される画像をＯＣＴ画像と総称することがある。また、ＯＣＴ画像を形成するための計測動作をＯＣＴ計測と呼ぶことがある。なお、この明細書に記載された文献の記載内容を、以下の変形例の内容として適宜援用することが可能である。
【０１３８】
以下の変形例では、スペクトラルドメインタイプのＯＣＴを適用した構成について詳しく説明するが、他のタイプ、たとえばスウェプトソースＯＣＴであってもよい。また、この変形例ではＯＣＴ装置と眼底カメラとを組み合わせた眼科撮影装置について説明するが、眼底カメラ以外の撮影装置、たとえばＳＬＯ、スリットランプ、眼科手術用顕微鏡などに、この変形例に係る構成を有するＯＣＴ装置を組み合わせることも可能である。また、この変形例に係る構成を、単体のＯＣＴ装置に組み込むことも可能である。また、変形例に係る眼科撮影装置による撮影対象は眼底には限定されず、たとえば前眼部であってもよい。
【０１３９】
図９および図１０に示すように、眼科装置８００は、眼底カメラユニット８０２、ＯＣＴユニット９００および演算制御ユニット１０００を含んで構成される。眼底カメラユニット８０２は、従来の眼底カメラとほぼ同様の光学系を有する。ＯＣＴユニット９００には、眼底のＯＣＴ画像を取得するための光学系が設けられている。演算制御ユニット１０００は、各種の演算処理や制御処理等を実行するコンピュータを具備している。
【０１４０】
図９に示す眼底カメラユニット８０２には、被検眼Ｅの眼底Ｅｆの表面形態を表す正面画像（眼底像）を取得するための光学系が設けられている。眼底カメラユニット８０２には、照明光学系８１０と撮影光学系８３０が設けられている。照明光学系８１０は眼底Ｅｆに照明光を照射する。撮影光学系８３０は、この照明光の眼底反射光を撮像装置（ＣＣＤイメージセンサ（単にＣＣＤと呼ぶことがある）８３５、８３８。）に導く。また、撮影光学系８３０は、ＯＣＴユニット９００からの測定光を眼底Ｅｆに導くとともに、眼底Ｅｆを経由した測定光をＯＣＴユニット９００に導く。
【０１４１】
照明光学系８１０の観察光源８１１は、たとえばハロゲンランプにより構成される。観察光源８１１から出力された光（観察照明光）は、曲面状の反射面を有する反射ミラー８１２により反射され、集光レンズ８１３を経由し、可視カットフィルタ８１４を透過して近赤外光となる。更に、観察照明光は、撮影光源８１５の近傍にて一旦集束し、ミラー８１６により反射され、リレーレンズ８１７、８１８、絞り８１９およびリレーレンズ８２０を経由する。そして、観察照明光は、孔開きミラー８２１の周辺部（孔部の周囲の領域）にて反射され、ダイクロイックミラー８４６を透過し、対物レンズ８２２により屈折されて眼底Ｅｆを照明する。なお、観察光源としてＬＥＤ（Ｌｉｇｈｔ  Ｅｍｉｔｔｉｎｇ  Ｄｉｏｄｅ）を用いることも可能である。
【０１４２】
観察照明光の眼底反射光は、対物レンズ８２２により屈折され、ダイクロイックミラー８４６を透過し、孔開きミラー８２１の中心領域に形成された孔部を通過し、ダイクロイックミラー８５５を透過し、合焦レンズ８３１を経由し、ミラー８３２により反射される。更に、この眼底反射光は、ハーフミラー８３９Ａを透過し、ダイクロイックミラー８３３により反射され、集光レンズ８３４によりＣＣＤイメージセンサ８３５の受光面に結像される。ＣＣＤイメージセンサ８３５は、たとえば所定のフレームレートで眼底反射光を検出する。表示装置８０３には、ＣＣＤイメージセンサ８３５により検出された眼底反射光に基づく画像（観察画像）が表示される。なお、撮影光学系８３０のピントが前眼部に合わせられている場合、被検眼Ｅの前眼部の観察画像が表示される。
【０１４３】
撮影光源８１５は、たとえばキセノンランプにより構成される。撮影光源８１５から出力された光（撮影照明光）は、観察照明光と同様の経路を通って眼底Ｅｆに照射される。撮影照明光の眼底反射光は、観察照明光のそれと同様の経路を通ってダイクロイックミラー８３３まで導かれ、ダイクロイックミラー８３３を透過し、ミラー８３６により反射され、集光レンズ８３７によりＣＣＤイメージセンサ８３８の受光面に結像される。表示装置８０３には、ＣＣＤイメージセンサ８３８により検出された眼底反射光に基づく画像（撮影画像）が表示される。撮影光源としてＬＥＤを用いることも可能である。
【０１４４】
ＬＣＤ（Ｌｉｑｕｉｄ  Ｃｒｙｓｔａｌ  Ｄｉｓｐｌａｙ）８３９は、固視標や視力測定用指標を表示する。ＬＣＤ８３９から出力された光は、その一部がハーフミラー８３９Ａにて反射され、ミラー８３２に反射され、合焦レンズ８３１およびダイクロイックミラー８５５を経由し、孔開きミラー８２１の孔部を通過し、ダイクロイックミラー８４６を透過し、対物レンズ８２２により屈折されて眼底Ｅｆに投影される。ＬＣＤ３９の画面上における固視標の表示位置を変更することにより、被検眼Ｅの固視位置を変更できる。
【０１４５】
更に、眼底カメラユニット８０２には、従来の眼底カメラと同様にアライメント光学系８５０とフォーカス光学系８６０が設けられている。アライメント光学系８５０は、被検眼Ｅに対する装置光学系の位置合わせ（アライメント）を行うための指標（アライメント指標）を生成する。フォーカス光学系８６０は、眼底Ｅｆに対してフォーカス（ピント）を合わせるための指標（スプリット指標）を生成する。
【０１４６】
アライメント光学系８５０のＬＥＤ８５１から出力された光（アライメント光）は、絞り８５２、８５３およびリレーレンズ８５４を経由してダイクロイックミラー８５５により反射され、孔開きミラー８２１の孔部を通過し、ダイクロイックミラー８４６を透過し、対物レンズ８２２により被検眼Ｅの角膜に投影される。
【０１４７】
アライメント光の角膜反射光は、対物レンズ８２２、ダイクロイックミラー８４６および上記孔部を経由し、その一部がダイクロイックミラー８５５を透過し、合焦レンズ８３１を通過し、ミラー８３２により反射され、ハーフミラー８３９Ａを透過し、ダイクロイックミラー８３３に反射され、集光レンズ８３４によりＣＣＤイメージセンサ８３５の受光面に投影される。ＣＣＤイメージセンサ８３５による受光像（アライメント指標）は、観察画像とともに表示装置８０３に表示される。ユーザは、従来の眼底カメラと同様の操作を行ってアライメントを実施する。また、演算制御ユニット１０００がアライメント指標の位置を解析して光学系を移動させることによりアライメントを行ってもよい（オートアライメント機能）。
【０１４８】
フォーカス調整を行う際には、照明光学系８１０の光路上に反射棒８６７の反射面が斜設される。フォーカス光学系８６０のＬＥＤ８６１から出力された光（フォーカス光）は、リレーレンズ８６２を通過し、スプリット指標板８６３により２つの光束に分離され、二孔絞り８６４を通過し、ミラー８６５に反射され、集光レンズ８６６により反射棒８６７の反射面に一旦結像されて反射される。更に、フォーカス光は、リレーレンズ８２０を経由し、孔開きミラー８２１に反射され、ダイクロイックミラー８４６を透過し、対物レンズ８２２により屈折されて眼底Ｅｆに投影される。
【０１４９】
フォーカス光の眼底反射光は、アライメント光の角膜反射光と同様の経路を通ってＣＣＤイメージセンサ８３５により検出される。ＣＣＤイメージセンサ８３５による受光像（スプリット指標）は、観察画像とともに表示装置８０３に表示される。演算制御ユニット１０００は、従来と同様に、スプリット指標の位置を解析して合焦レンズ８３１およびフォーカス光学系８６０を移動させてピント合わせを行う（オートフォーカス機能）。また、スプリット指標を視認しつつ手動でピント合わせを行ってもよい。
【０１５０】
ダイクロイックミラー８４６は、眼底撮影用の光路からＯＣＴ計測用の光路を分岐させている。ダイクロイックミラー８４６は、ＯＣＴ計測に用いられる波長帯の光を反射し、眼底撮影用の光を透過させる。このＯＣＴ計測用の光路には、ＯＣＴユニット９００側から順に、コリメータレンズユニット８４０と、光路長変更部８４１と、光スキャナ８４２と、合焦レンズ８４３と、ミラー８４４と、リレーレンズ８４５とが設けられている。
【０１５１】
光路長変更部８４１は、図９に示す矢印の方向に移動可能とされ、ＯＣＴ計測用の光路の光路長を変更する。この光路長の変更は、被検眼Ｅの眼軸長に応じた光路長の補正や、干渉状態の調整などに利用される。光路長変更部９４１は、たとえばコーナーキューブと、これを移動する機構とを含んで構成される。
【０１５２】
光スキャナ８４２は、ＯＣＴ計測用の光路を通過する光（測定光ＬＳ）の進行方向を変更する。それにより、眼底Ｅｆを測定光ＬＳで走査することができる。光スキャナ８４２は、測定光ＬＳをｘ方向に走査する機能と、ｙ方向に走査する機能とを有する。それにより、測定光ＬＳをｘｙ平面上の任意の方向に走査することができる。光スキャナ８４２は、上記実施形態で説明された光スキャナ４０と同様の構成を有し、たとえば図３〜図８Ｂのいずれかに示す構成を有する。
【０１５３】
図１０を参照しつつＯＣＴユニット９００の構成の一例を説明する。ＯＣＴユニット９００には、眼底ＥｆのＯＣＴ画像を取得するための光学系が設けられている。この光学系は、従来のスペクトラルドメインタイプのＯＣＴ装置と同様の構成を有する。すなわち、この光学系は、低コヒーレンス光を参照光と測定光に分割し、眼底Ｅｆを経由した測定光と参照光路を経由した参照光とを干渉させて干渉光を生成し、この干渉光のスペクトル成分を検出するように構成されている。この検出結果（検出信号）は演算制御ユニット１０００に送られる。
【０１５４】
なお、スウェプトソースタイプのＯＣＴ装置の場合には、低コヒーレンス光源を出力する光源の代わりに波長掃引光源が設けられるとともに、干渉光をスペクトル分解する光学部材が設けられない。一般に、ＯＣＴユニット９００の構成については、光コヒーレンストモグラフィのタイプに応じた公知の技術を任意に適用することができる。
【０１５５】
光源ユニット９０１は広帯域の低コヒーレンス光を出力する。低コヒーレンス光は、たとえば、近赤外領域の波長帯（約８００ｎｍ〜９００ｎｍ程度）を含み、数十マイクロメートル程度の時間的コヒーレンス長を有する。なお、人眼では視認できない波長帯、たとえば１０４０〜１０６０ｎｍ程度の中心波長を有する近赤外光を低コヒーレンス光として用いてもよい。
【０１５６】
光源ユニット９０１は、スーパールミネセントダイオード（Ｓｕｐｅｒ  Ｌｕｍｉｎｅｓｃｅｎｔ  Ｄｉｏｄｅ：ＳＬＤ）や、ＬＥＤや、ＳＯＡ（Ｓｅｍｉｃｏｎｄｕｃｔｏｒ  Ｏｐｔｉｃａｌ  Ａｍｐｌｉｆｉｅｒ）等の光出力デバイスを含んで構成される。
【０１５７】
光源ユニット９０１から出力された低コヒーレンス光は、光ファイバ９０２によりファイバカプラ９０３に導かれて測定光ＬＳと参照光ＬＲに分割される。
【０１５８】
参照光ＬＲは、光ファイバ９０４により導かれて光減衰器（アッテネータ）９０５に到達する。光減衰器９０５は、公知の技術を用いて、演算制御ユニット１０００の制御の下、光ファイバ９０４に導かれる参照光ＬＲの光量を自動で調整する。光減衰器９０５により光量が調整された参照光ＬＲは、光ファイバ９０４により導かれて偏波調整器（偏波コントローラ）９０６に到達する。偏波調整器９０６は、たとえば、ループ状にされた光ファイバ９０４に対して外部から応力を与えることで、光ファイバ９０４内を導かれる参照光ＬＲの偏光状態を調整する装置である。偏波調整器９０６により偏光状態が調整された参照光ＬＲは、ファイバカプラ９０９に到達する。
【０１５９】
ファイバカプラ９０３により生成された測定光ＬＳは、光ファイバ９０７により導かれ、コリメータレンズユニット８４０により平行光束とされる。更に、測定光ＬＳは、光路長変更部８４１、光スキャナ８４２、合焦レンズ８４３、ミラー４８４、およびリレーレンズ８４５を経由してダイクロイックミラー８４６に到達する。そして、測定光ＬＳは、ダイクロイックミラー８４６により反射され、対物レンズ８２２により屈折されて眼底Ｅｆに照射される。測定光ＬＳは、眼底Ｅｆの様々な深さ位置において散乱（反射を含む）される。眼底Ｅｆによる測定光ＬＳの後方散乱光は、往路と同じ経路を逆向きに進行してファイバカプラ９０３に導かれ、光ファイバ９０８を経由してファイバカプラ９０９に到達する。
【０１６０】
ファイバカプラ９０９は、測定光ＬＳの後方散乱光と、光ファイバ９０４を経由した参照光ＬＲとを干渉させる。これにより生成された干渉光ＬＣは、光ファイバ９１０により導かれて出射端９１１から出射される。更に、干渉光ＬＣは、コリメータレンズ９１２により平行光束とされ、回折格子９１３により分光（スペクトル分解）され、集光レンズ９１４により集光されてＣＣＤイメージセンサ９１５の受光面に投影される。
【０１６１】
ＣＣＤイメージセンサ９１５は、たとえばラインセンサであり、分光された干渉光ＬＣの各スペクトル成分を検出して電荷に変換する。ＣＣＤイメージセンサ９１５は、この電荷を蓄積して検出信号を生成し、これを演算制御ユニット１０００に送る。
【０１６２】
演算制御ユニット１０００の構成について説明する。演算制御ユニット１０００は、ＣＣＤイメージセンサ９１５から入力される検出信号と、光スキャナ８４２によるスキャンの軌跡を示す情報とに基づいて、眼底Ｅｆの２次元断面像を形成する。そのための演算処理は、従来のスペクトラルドメインタイプのＯＣＴ装置と同様である。この処理には、従来のスペクトラルドメインタイプの光コヒーレンストモグラフィと同様に、ノイズ除去（ノイズ低減）、フィルタ処理、分散補償、ＦＦＴ（Ｆａｓｔ  Ｆｏｕｒｉｅｒ  Ｔｒａｎｓｆｏｒｍ）などの処理が含まれる。他のタイプのＯＣＴ装置の場合、演算制御ユニット１０００は、そのタイプに応じた公知の処理を実行する。また、演算制御ユニット１０００は、複数の２次元断面像に基づいて３次元画像を形成することもできる。また、演算制御ユニット１０００は、診断支援用の各種解析処理を実行することもできる。
【０１６３】
また、演算制御ユニット１０００は、眼底カメラユニット８０２、表示装置８０３およびＯＣＴユニット９００の各部を制御する。眼底カメラユニット８０２の制御として、演算制御ユニット１０００は、観察光源８１１、撮影光源８１５およびＬＥＤ８５１、８６１の動作制御、ＬＣＤ８３９の動作制御、合焦レンズ８３１、８４３の移動制御、反射棒８６７の移動制御、フォーカス光学系８６０の移動制御、光路長変更部８４１の移動制御、光スキャナ８４２の動作制御などを行う。また、ＯＣＴユニット９００の制御として、演算制御ユニット１０００は、光源ユニット９０１の動作制御、光減衰器９０５の動作制御、偏波調整器９０６の動作制御、ＣＣＤイメージセンサ９１５の動作制御などを行う。
【０１６４】
演算制御ユニット１０００は、キーボードやマウス等の操作デバイス（入力デバイス）や、ＬＣＤ等の表示デバイスを備えていてもよい。
【０１６５】
この変形例に係る眼科装置（ＯＣＴ装置）の作用および効果について説明する。この眼科装置は、照射光学系と、受光部と、画像形成部とを有する。照射光学系（ＯＣＴ計測用光学系）は、光源（光源ユニット９０１）からの光を測定光（ＬＳ）と参照光（ＬＲ）とに分割する分割部材（ファイバカプラ９０３）を含む。さらに、照射光学系は、測定光を光スキャナ（８４２）により偏向して被検眼（Ｅ）に照射することで被検眼を所定の軌跡（たとえば図２の軌跡ＳＴｉ）に沿ってスキャンする。受光部（ＣＣＤイメージセンサ９１５）は、被検眼に照射された測定光の戻り光と参照光との干渉光（ＬＣ）を受光する。画像形成部（演算制御ユニット１０００）は、スキャンの軌跡を示す情報と、受光部による干渉光の受光結果とに基づいて、被検眼の断面像を形成する。
【０１６６】
このような構成のＯＣＴ装置によれば、広範囲にわたる眼底の断面像を一連のスキャンにより取得することができる。また、スキャン範囲の拡大およびスキャンの高速化を同時に満足することができる。
【０１６７】
（変形例２：レーザ治療装置）
上記実施形態で説明した光スキャナを、レーザ光の熱凝固作用を利用した治療に用いられるレーザ治療装置に適用することが可能である。なお、この変形例において、この明細書に記載された文献の記載内容を任意に援用することが可能である。
【０１６８】
まず方向を定義しておく。装置光学系から患者に向かう方向を前方向とし、その逆方向を後方向とする。また、前方向に直交する水平方向を左右方向とする。更に、前後方向と左右方向の双方に直交する方向を上下方向とする。
【０１６９】
この変形例に係るレーザ治療装置２０００の構成の一例を図１１および図１２に示す。レーザ治療装置２０００は、被検眼Ｅの眼底Ｅｆに対してレーザ治療を施すために使用される。レーザ治療装置２０００は、光源ユニット２００２と、スリットランプ２００３と、光ファイバ２００４と、処理ユニット２００５と、操作ユニット２００６とを有する。なお、スリットランプ２００３に代えて、手術用顕微鏡や、倒像鏡や、眼内挿入タイプの観察装置などを用いてもよい。
【０１７０】
光源ユニット２００２とスリットランプ２００３は、光ファイバ２００４を介して光学的に接続されている。光ファイバ２００４は、１つ以上の導光路を有する。光源ユニット２００２と処理ユニット２００５は、信号を伝送可能に接続されている。スリットランプ２００３と処理ユニット２００５は、信号を伝送可能に接続されている。操作ユニット２００６と処理ユニット２００５は、信号を伝送可能に接続されている。信号の伝送形態は有線でも無線でもよい。
【０１７１】
処理ユニット２００５は、ハードウェアとソフトウェアとの協働によって動作するコンピュータである。処理ユニット２００５が実行する処理については後述する。操作ユニット２００６は、各種のハードウェアキーおよび／またはソフトウェアキー（ＧＵＩ）を含んで構成される。ハードウェアキーの例として、スリットランプ２００３に設けられたボタン・ハンドル・ノブや、スリットランプ２００３に接続されたコンピュータ（処理ユニット２００５等）に設けられたキーボード・ポインティングデバイス（マウス・トラックボール等）や、別途に設けられたフットスイッチ・操作パネルなどがある。ソフトウェアキーは、たとえばスリットランプ２００３や上記コンピュータに設けられた表示デバイスに表示される。
【０１７２】
光源ユニット２００２は、眼底Ｅｆに照射される光を発生する。光源ユニット２００２は、照準光源２００２ａと、治療用レーザ光源２００２ｂと、ガルバノミラー２００２ｃと、遮光板２００２ｄとを有する。
【０１７３】
照準光源２００２ａは、レーザ治療を施す部位に照準を合わせるための照準光ＬＡを発生する。照準光源２００２ａとしては任意の光源が用いられる。たとえば、眼底Ｅｆを目視観察しつつ照準を合わせる構成が適用される場合、術者眼Ｅ０により認識可能な可視光を発する光源（レーザ光源、発光ダイオード等）が照準光源２００２ａとして用いられる。また、眼底Ｅｆの撮影画像を観察しつつ照準を合わせる構成が適用される場合、撮影画像を取得するための撮像素子が感度を有する波長帯の光を発する光源（レーザ光源、発光ダイオード等）が照準光源２００２ａとして用いられる。照準光ＬＡは、ガルバノミラー２００２ｃに導かれる。照準光源２００２ａの動作は、処理ユニット２００５により制御される。
【０１７４】
治療用レーザ光源２００２ｂは、眼底Ｅｆのレーザ治療に用いられる光（治療用レーザ光ＬＴ）を発する。治療用レーザ光ＬＴは、その用途に応じて可視レーザ光でも不可視レーザ光でもよい。また、治療用レーザ光源２００２ｂは、異なる波長帯のレーザ光を発する単一のレーザ光源または複数のレーザ光源であってよい。治療用レーザ光ＬＴは、ガルバノミラー２００２ｃに導かれる。治療用レーザ光源２００２ｂの動作は、処理ユニット２００５により制御される。
【０１７５】
ガルバノミラー２００２ｃは、反射面を有するミラーと、ミラーの向き（反射面の向き）を変更するアクチュエータとを含んで構成される。照準光ＬＡと治療用レーザ光ＬＴは、ガルバノミラー２００２ｃの反射面の同じ位置に到達するようになっている。なお、照準光ＬＡと治療用レーザ光ＬＴをまとめて「照射光」と呼ぶことがある。ガルバノミラー２００２ｃ（の反射面）の向きは、少なくとも、照射光を光ファイバ２００４に向けて反射させる向き（照射用向き）と、照射光を遮光板２００２ｄに向けて反射させる向き（停止用向き）とに変更される。ガルバノミラー２００２ｃの動作は、処理ユニット２００５により制御される。
【０１７６】
ガルバノミラー２００２ｃが停止用向きに配置されている場合、照射光は遮光板２００２ｄに到達する。遮光板２００２ｄは、たとえば照射光を吸収する材質および／または形態からなる部材であり、遮光作用を有する。
【０１７７】
この実施形態では、照準光源２００２ａと治療用レーザ光源２００２ｂは、それぞれ連続的に光を発生する。そして、ガルバノミラー２００２ｃを照射用向きに配置させることで、照射光を被検眼Ｅに照射させる。また、ガルバノミラー２００２ｃを停止用向きに配置させることで、被検眼Ｅに対する照射光の照射を停止させる。
【０１７８】
スリットランプ２００３は、被検眼Ｅの前眼部および眼底Ｅｆの観察に用いられる装置である。より詳しく説明すると、スリットランプ２００３は、被検眼Ｅをスリット光で照明し、この照射野を拡大観察するための装置である。なお、「観察」には、肉眼での観察と、撮像素子による撮影画像の観察の一方または双方が含まれる。この実施形態のスリットランプ２００３は、肉眼観察を可能とし、且つ被検眼Ｅの撮影も可能とするものである。
【０１７９】
スリットランプ２００３は、照明部２００３ａと、観察部２００３ｂと、接眼部２００３ｃと、レーザ照射部２００３ｄとを有する。照明部２００３ａには、図１２に示す照明系２０１０が格納されている。観察部２００３ｂと接眼部２００３ｃには、観察系２０３０が格納されている。レーザ照射部２００３ｄには、レーザ照射系２０５０が格納されている。
【０１８０】
図示は省略するが、スリットランプ２００３には、従来と同様に、レバー、ハンドル、ボタン、ノブ等の操作部材が設けられている。これら操作部材は、機能的に操作ユニット２００６に含まれる。なお、図１１に示す構成では、操作ユニット２００６からの信号を受けた処理ユニット２００５がスリットランプ２００３を制御するようになっているが、このような電気的な駆動力を用いて動作する機構だけでなく、操作者が印加した駆動力を用いて動作する機構を適用することもできる。
【０１８１】
図１２を参照してスリットランプ２００３の光学系について説明する。なお、図１２には、眼底Ｅｆのレーザ治療に用いられるコンタクトレンズＣＬが示されている。スリットランプ２００３は、照明系２０１０と、観察系２０３０と、レーザ照射系２０５０とを有する。
【０１８２】
照明系２０１０は、被検眼Ｅを観察するための照明光を出力する。照明部２００３ａは、照明系２０１０の光軸（照明光軸）２０１０ａの向きを左右方向および上下方向に変更可能に構成されている。それにより、被検眼Ｅの照明方向を任意に変更することができる。
【０１８３】
照明系２０１０は、光源２０１１と、集光レンズ２０１２と、フィルタ２０１３、２０１４および２０１５と、スリット絞り２０１６と、結像レンズ２０１７、２０１８および２０１９と、偏向部材２０２０とを有する。
【０１８４】
光源２０１１は照明光を出力する。なお、照明系２０１０に複数の光源を設けてもよい。たとえば、定常光を出力する光源（ハロゲンランプ、ＬＥＤ等）と、フラッシュ光を出力する光源（キセノンランプ、ＬＥＤ等）の双方を光源２０１１として設けることができる。また、角膜観察用の光源と眼底観察用の光源とを別々に設けてもよい。集光レンズ２０１２は、光源２０１１から出力された光を集めるレンズ（系）である。光源２０１１の動作は、処理ユニット２００５により制御される。
【０１８５】
フィルタ２０１３〜２０１５は、それぞれ、照明光の特定の成分を除去または弱める作用を持つ光学素子である。フィルタ２０１３〜２０１５としては、たとえば、ブルーフィルタ、無赤色フィルタ、減光フィルタ、防熱フィルタ、角膜蛍光フィルタ、色温度変換フィルタ、演色性変換フィルタ、紫外線カットフィルタ、赤外線カットフィルタなどがある。各フィルタ２０１３〜２０１５は、照明光の光路に対して挿脱可能とされている。フィルタ２０１３〜２０１５の挿脱は、処理ユニット２００５により制御される。
【０１８６】
スリット絞り２０１６は、スリット光（細隙光）を生成するためのスリットを形成する。スリット絞り２０１６は、一対のスリット刃を有する。これらスリット刃の間隔を変化させることによりスリット幅が変更される。なお、スリット絞り２０１６以外の絞り部材を照明系２０１０に設けることができる。この絞り部材の例として、照明光の光量を変更するための照明絞りや、照明野のサイズを変更するための照明野絞りなどがある。また、これら絞り部材以外の部材を用いて照明光の光量や照射野のサイズを変更することが可能である。このような部材の例として液晶シャッタがある。スリット絞り２０１６、照明絞り、照明野絞り、および液晶シャッタのそれぞれの動作は、処理ユニット２００５により制御される。
【０１８７】
結像レンズ２０１７、２０１８および２０１９は、照明光の像を形成するためのレンズ系である。偏向部材２０２０は、結像レンズ２０１７〜２０１９を経由した照明光を偏向して被検眼Ｅに照射させる。偏向部材２０２０としては、たとえば反射ミラーまたは反射プリズムが用いられる。
【０１８８】
上記以外の部材を照明系２０１０に設けることができる。たとえば、偏向部材２０２０の後段に、拡散板を挿脱可能に設けることができる。拡散板は、照明光を拡散することにより、照明野の明るさを一様にする。また、照明光による照明野の背景領域を照明する背景光源を設けることができる。
【０１８９】
観察系２０３０は、被検眼Ｅによる照明光の反射光を術者眼Ｅ０に案内する光学系である。観察系２０３０は、左右両眼での観察を可能とする左右一対の光学系を有する。左右の光学系は実質的に同一の構成を有するので、図１２には一方の光学系のみが示されている。
【０１９０】
観察部２００３ｂは、観察系２０３０の光軸（観察光軸）２０３０ａの向きを左右方向および上下方向に変更可能に構成されている。それにより、被検眼Ｅの観察方向を任意に変更することができる。
【０１９１】
観察系２０３０は、対物レンズ２０３１と、変倍レンズ２０３２および２０３３と、保護フィルタ２０３４と、結像レンズ２０３５と、正立プリズム２０３６と、視野絞り２０３７と、接眼レンズ２０３８とを有する。また、観察系２０３０には後述の撮影系が設けられている。
【０１９２】
対物レンズ２０３１は、被検眼Ｅに対峙する位置に配置される。対物レンズ２０３１は、左右の光学系に共通であってもよいし、左右別々に設けられていてもよい。
【０１９３】
変倍レンズ２０３２および２０３３は、変倍光学系（ズームレンズ系）を構成する。各変倍レンズ２０３２および２０３３は、観察光軸２０３０ａに沿って移動可能とされている。それにより、被検眼Ｅの肉眼観察像や撮影画像の倍率（画角）を変更できる。倍率の変更は、たとえば、観察部２００３ｂに設けられた倍率変更ノブを手動で操作することにより行われる。また、処理ユニット２００５が、操作ユニット２００６に含まれるスイッチ等による操作に基づいて、倍率を制御するようにしてもよい。
【０１９４】
また、変倍光学系として、観察系２０３０の光路に対して選択的に挿入可能な複数の変倍レンズ群を設けてもよい。これら変倍レンズ群は、それぞれ異なる倍率を付与するように構成されている。観察系２０３０の光路に配置された変倍レンズ群が変倍レンズ２０３２および２０３３として用いられる。倍率の変更、つまり観察系２０３０の光路に配置される変倍レンズ群の切り替えは、たとえば、観察部２００３ｂに設けられた倍率変更ノブを手動で操作することにより行われる。
【０１９５】
保護フィルタ２０３４は、被検眼Ｅに照射されるレーザ光を遮蔽するフィルタである。それにより、術者眼Ｅ０をレーザ光から保護することができる。保護フィルタ２０３４は、たとえば、レーザ治療（またはレーザ出力）の開始トリガに対応して光路に挿入される。通常の観察時には、保護フィルタ２０３４は光路から退避される。保護フィルタ２０３４の挿脱は、処理ユニット２００５により制御される。
【０１９６】
結像レンズ２０３５は、被検眼Ｅの像を結ばせるレンズ（系）である。正立プリズム２０３６は、接眼レンズ２０３８を介して観察される像を正立像にする光学部材であり、プリズム２０３６ａおよび２０３６ｂを含んで構成される。接眼レンズ２０３８は正立プリズム２０３６と一体的に移動する。正立プリズム２０３６と接眼レンズ２０３８は接眼部２００３ｃに格納されている。観察系２０３０を構成する他の部材は、観察部２００３ｂに格納されている。
【０１９７】
被検眼Ｅを撮影する撮影系について説明する。撮影系は、観察光軸２０３０ａから分岐した光路上に設けられた撮像装置２０４２を含む。この分岐は、結像レンズ２０３５と正立プリズム２０３６との間に設けられたビームスプリッタ（ハーフミラー等）２０４１により実現される。
【０１９８】
撮像装置２０４２は、照射光（照準光ＬＡおよび／または治療用レーザ光ＬＴ）の波長帯に感度を有する。よって、照射光を眼底Ｅｆに照射した状態で撮像装置２０４２による撮影を行うと、その撮影画像には眼底Ｅｆに対する照射光の投影パターンが描出される。また、撮像装置２０４２は、照明系２０１０による照明光の波長帯に感度を有していてもよい。その場合、撮影画像には、眼底Ｅｆの形態（つまり眼底Ｅｆの正面画像）と、照射光の投影パターンとが描出される。
【０１９９】
撮像装置２０４２を用いた撮影の対象は眼底Ｅｆには限定されず前眼部であってもよい。撮像装置２０４２による撮影対象の選択は、たとえば、結像レンズ２０３５や、撮像装置２０４２内部のレンズを制御することにより行われる。
【０２００】
レーザ照射系２０５０は、光源ユニット２００２から光ファイバ２００４を介してスリットランプ２００３に伝送された照射光を被検眼Ｅに導く光学系である。
【０２０１】
レーザ照射系２０５０は、コリメータレンズ２０５１と、光スキャナ２０５２と、ミラー２０５３と、リレーレンズ２０５４および２０５５と、ミラー２０５６と、コリメータレンズ２０５７と、偏向部材２０５８とを有する。
【０２０２】
コリメータレンズ２０５１は、光ファイバ２００４から出力された照射光を平行光束にする。光スキャナ２０５２は、照射光を２次元的に偏向する。光スキャナ２０５２は、上記実施形態で説明された光スキャナ４０と同様の構成を有し、たとえば図３〜図８Ｂのいずれかに示す構成を有する。光スキャナ２０５２の動作は、処理ユニット２００５により制御される。
【０２０３】
ミラー２０５３は、光スキャナ２０５２を経由した照射光を反射して、その進行方向を変える。リレーレンズ２０５４および２０５５は、ミラー２０５３により反射された照射光をリレーする。ミラー２０５６は、リレーレンズ２０５４および２０５５を経由した照射光を反射して、その進行方向を変える。コリメータレンズ２０５７は、リレーレンズ２０５４および２０５５を経由した照射光を集束光束にする。偏向部材２０５８は、対物レンズ２０３１の後方に配置され、コリメータレンズ２０５７を経由した照射光を偏向して被検眼Ｅに照射させる。
【０２０４】
ここで、照射光のパターンについて説明する。照射光のパターンには様々な条件（照射条件）がある。照射光の投影像（つまり眼底に対する照射光の照射範囲）をスポットと呼ぶ。照射条件としては、複数のスポットの配列（配列条件）、配列のサイズ（配列サイズ条件）、配列の向き（配列方向条件）、各スポットのサイズ（スポットサイズ条件）、スポットの間隔（スポット間隔条件）などがある。その他、スポットの個数（スポット数条件）なども考えられるが、他の条件（の組み合わせ）と実質的に同一視することができる。
【０２０５】
配列条件は、複数のスポットがどのように配列されているかを示す条件である。配列条件には様々なものがある。その具体例として、円状配列、楕円状配列、矩形状配列、弧状配列、直線状配列、円板状配列、楕円板状配列、矩形板状配列（格子状配列）、扇形板状配列、幅の有る円状配列（円環状配列）、幅の有る弧状配列（円環状配列の一部：部分円環状配列）、幅の有る直線状配列（帯状配列）などがある。また、ユーザが任意に配列を設定できるように構成することも可能である。また、複数の配列を組み合わせて使用することも可能である。配列条件は、光スキャナ２０５２の制御に用いられる。
【０２０６】
配列サイズ条件は、或る配列において、その配列をどのようなサイズで投影するかを示す条件である。たとえば、円状配列において、そのサイズ（たとえば径）を示すパラメータが配列サイズ条件である。配列サイズ条件については、これを任意に設定できるように構成してもよいし、これの選択肢（たとえば大、中、小）を設けるように構成してもよい。配列サイズ条件は、光スキャナ２０５２の制御に用いられる。
【０２０７】
配列方向条件は、或る配列において、その配列をどのような向きで投影するかを示す条件である。たとえば、弧状配列の向きを示すパラメータが配列方向条件である。配列方向条件については、これを任意に設定できるように構成してもよいし、これの選択肢（たとえば上向き、下向き、左向き、右向き）を設けるように構成してもよい。配列方向条件は、光スキャナ２０５２の制御に用いられる。
【０２０８】
スポットサイズ条件は、各スポットをどの程度のサイズで投影するかを示す条件である。たとえば、円状配列において、各スポットの投影サイズ（径、面積、周囲長等）を変更することで、異なるパターンの円状配列を適用することができる。スポットサイズ条件については、これを任意に設定できるように構成してもよいし、これの選択肢（たとえば大、中、小）を設けるように構成してもよい。なお、或る配列において、全てのスポットサイズが同じである必要はない。その場合、或る配列を複数の部分に分け、各部分についてスポットサイズを個別に設定するように構成することができる。
【０２０９】
スポットサイズを変更するための構成について説明する。光ファイバ２００４が単一の導光路からなる場合、スポットサイズを変更するための光学部材がレーザ照射系２０５０に設けられる。この光学部材は、たとえば変倍レンズ（系）である。処理ユニット２００５は、レーザ照射系２０５０の光軸（照射光軸）２０５０ａに沿って変倍レンズを移動させることにより、設定されたスポットサイズを実現する。
【０２１０】
光ファイバ２００４が２つ以上の導光路を有する場合、これら導光路の径をそれぞれ異ならせることができる。この場合、２つ以上の導光路を択一的に使用することで、被検眼Ｅに照射される光のスポットサイズが変更される。処理ユニット２００５は、目的のスポットサイズに対応する導光路に照射光が入射される向きに、光源ユニット２００２のガルバノミラー２００２ｃを配置させる。
【０２１１】
光ファイバ２００４は、パターンを保持しつつ光を伝送することが可能なイメージングファイバ（画像伝送ファイバ）であってもよい。この場合、光ファイバ２００４の前段または後段の任意の位置に、スポットサイズを変更するための光学部材（変倍レンズ等）が設けられる。この光学部材の制御は、光ファイバ２００４が単一の導光路からなる場合と同様である。また、光源ユニット２００２には、光ファイバ２００４（イメージングファイバ）に所定パターンの照射光を入射するための光スキャナが設けられる。この光スキャナは、たとえばガルバノミラー２００２ｃの代わりに設けられる。この光スキャナは、上記実施形態で説明された光スキャナ４０と同様の構成を有し、たとえば図３〜図８Ｂのいずれかに示す構成を有する。この光スキャナの動作は、処理ユニット２００５により制御される。この場合、レーザ照射系２０５０に光スキャナ２０５２を設ける必要はない。
【０２１２】
スポット間隔条件は、隣接するスポットをどの程度の間隔（ピッチ）で投影するかを示す条件である。スポット間隔条件については、これを任意に設定できるように構成してもよいし、これの選択肢（たとえば疎、密）を設けるように構成してもよい。なお、或る配列において、全てのスポット間隔が同じである必要はない。その場合、或る配列を複数の部分に分け、各部分についてスポット間隔を個別に設定するように構成することができる。スポット間隔条件は、光スキャナ２０５２の制御に用いられる。
【０２１３】
照射条件には、照射光のパターン以外の事項に関するものも含まれる。たとえば、複数種別の照射光を選択的に使用可能な場合、照射光の種別を照射条件に含めることができる。照射条件の種別の具体例として、レーザ光の種別（波長、用途等）がある。このような照射光種別条件は、照準光源２００２ａおよび／または治療用レーザ光源２００２ｂの制御に用いられる。
【０２１４】
また、照射条件は、照射光の強度に関する条件を含んでいてもよい。この照射強度条件の例として、照準光源２００２ａや治療用レーザ光源２００２ｂによる照射光の出力強度を示す出力強度条件がある。出力強度条件は、照準光源２００２ａおよび／または治療用レーザ光源２００２ｂの制御に用いられる。また、出力強度条件は、治療用レーザ光源２００２ｂから出力される治療用レーザ光（レーザ光）のエネルギーを示すパラメータを含んでいてもよい。
【０２１５】
照射強度条件の他の例として、照射光の光量を減光部材によって調整するための条件（減光条件）がある。減光部材としては減光フィルタがある。より具体的には、１つの減光フィルタを光路に挿脱する構成や、透過率が異なる複数の減光フィルタを選択的に光路に配置可能な構成などがある。
【０２１６】
処理ユニット２００５について説明する。処理ユニット２００５は、レーザ治療装置２０００の各部を制御する。たとえば、処理ユニット２００５は、光源ユニット２００２の制御、照明系２０１０の制御、観察系２０３０の制御、レーザ照射系２０５０の制御、図示しない表示ユニットの制御などを行う。
【０２１７】
光源ユニット２００２の制御として、処理ユニット２００５は、照準光源２００２ａの制御、治療用レーザ光源２００２ｂの制御、ガルバノミラー２００２ｃの制御などを行う。また、１つ以上の治療用レーザ光源２００２ｂにより複数種別の治療用レーザ光ＬＴを出力可能な構成が適用される場合、処理ユニット２００５は、治療用レーザ光ＬＴを選択的に出力させるように治療用レーザ光源２００２ｂを制御する。
【０２１８】
照明系２０１０の制御として、処理ユニット２００５は、光源２０１１の制御、フィルタ２０１３〜２０１５の制御、スリット絞り２０１６の制御、その他の絞り部材の制御などを行う。
【０２１９】
観察系２０３０の制御として、処理ユニット２００５は、変倍レンズ２０３２および２０３３の制御、保護フィルタ２０３４の制御、結像レンズ２０３５の制御などを行う。
【０２２０】
処理ユニット２００５は撮影系の制御を行う。撮影系の制御としては、撮像装置２０４２の制御がある。また、撮像系の他の制御として、上記した観察系２０３０の制御と同様に、変倍レンズ２０３２および２０３３の制御（撮影倍率・画角の変更制御）や、結像レンズ２０３５の制御（ピント合わせ）などがある。
【０２２１】
レーザ照射系２０５０の制御として、処理ユニット２００５は、光スキャナ２０５２の制御などを行う。光スキャナ２０５２は、上記実施形態の光スキャナ４０と同様に、照射光を左右方向に偏向するためのミラースキャナと、照明光を上下方向に偏向するためのミラースキャナとを含む。処理ユニット２００５は、これらミラースキャナの光反射面の向きをそれぞれ独立に変更する。それにより、光源ユニット２００２から光ファイバ２００４を介して入射された照射光を２次元的に偏向することができる。
【０２２２】
この変形例に係る眼科装置（レーザ治療装置）の作用および効果について説明する。この眼科装置において、光源（光源ユニット２００２）は、照準光（ＬＡ）と治療用レーザ光（ＬＴ）とをそれぞれ出力する。さらに、照射光学系（レーザ照射系２０５０（および光ファイバ２００４））は、光源からそれぞれ出力された照準光および治療用レーザ光を、光スキャナ（２０５２）により偏向して眼底（Ｅｆ）に照射する。
【０２２３】
このような眼科装置によれば、広範囲にわたる眼底のレーザ治療を一連のスキャンにより実行することができる。また、治療範囲の拡大およびスキャンの高速化を同時に満足することができる。
【０２２４】
この変形例に係る眼科装置は、光スキャナ（２０５２）を制御することにより、第１のパターンの照準光（ＬＡ）と、この第１のパターンに基づき決定された第２のパターンの治療用レーザ光（ＬＴ）とを眼底（Ｅｆ）に照射させる制御部（処理ユニット２００５）を有していてよい。
【０２２５】
その場合、制御部は、あらかじめ設定された第１のパターンの照準光（ＬＡ）が照射されている状態の被検眼（Ｅ）を撮影系により撮影して取得された撮影画像と、当該第１のパターンとに基づいて、治療用レーザ光ＬＴの照射パターンを決定する処理を実行する。つまり、制御部は、被検眼に対して照射された照準光のパターン（第１のパターン）と、実際に撮影画像に描出されている照準光のパターンとに基づいて、引き続き行われるレーザ治療で用いられる治療用レーザ光の照射パターンを決定する。撮影画像は、眼底Ｅｆの正面画像（眼底像）でもよいし、前眼部の正面画像（前眼部像）でもよい。この照射パターン決定処理は、たとえば、第１のパターンに含まれる複数のスポットのうち、撮影画像に描出されているスポットを特定し、特定されたスポットのみを用いて第２のパターンを設定することにより行われる。
【０２２６】
このような眼科装置によれば、次のようなメリットがある。一連のスキャンによる眼底の治療範囲を拡大すると、治療用レーザ光が虹彩にケラれて眼底に到達しない可能性が高まる。本例では、第１のパターンのままで治療用レーザ光を照射した場合にそのパターンの一部または全部が虹彩にケラれるか否かを、照準光が照射されている状態の撮影画像によって判定し、虹彩にケラれないスポットのみからなる第２のパターンで治療用レーザ光を照射する。よって、本例によれば、眼底の治療範囲の拡大を図りつつ治療の安全性の向上を図ることが可能である。
【符号の説明】
【０２２７】
１  走査型レーザ検眼鏡（眼科装置）
１０  光源部
４０  光スキャナ
７０  受光部
１００  制御部
１３０  画像形成部
２１１、３１１、３１３、４１１、５１１、６１１、７１１  ミラースキャナ
２１２、３１２、４１２、５１２、７１２  レンズ
２１３  平面鏡
２３０  第２のスキャン部
４１３、５１３、６１３、７１３  ２軸ミラースキャナ
６１２  凹面鏡
８００  光コヒーレンストモグラフィ装置（眼科装置）
８４２  光スキャナ
２０００  レーザ治療装置（眼科装置）
２０５２  光スキャナ
【図１】
2014200403.tif 000003
【図２】
2014200403.tif 000004
【図３】
2014200403.tif 000005
【図４】
2014200403.tif 000006
【図５】
2014200403.tif 000007
【図６】
2014200403.tif 000008
【図７】
2014200403.tif 000009
【図８Ａ】
2014200403.tif 000010
【図８Ｂ】
2014200403.tif 000011
【図９】
2014200403.tif 000012
【図１０】
2014200403.tif 000013
【図１１】
2014200403.tif 000014
【図１２】
2014200403.tif 000015